(57)【特許請求の範囲】
【請求項１】
ワイヤレス通信ネットワークにおいてユーザ機器（ＵＥ）によって実行される方法であって、前記方法が、
複数のアプリケーションカテゴリーについてのアクセス制御と、少なくとも１つのＵＥ接続状態への前記アクセス制御の適用可能性の少なくとも１つの指示とを備えるジョイント制御信号を受信することと、
前記ワイヤレス通信ネットワーク上で通信動作を実行するための前記複数のアプリケーションカテゴリーのうちの少なくとも１つに属するアプリケーションを開始するという意図を決定することと、
前記アクセス制御と、適用可能性の前記少なくとも１つの指示とに少なくとも基づいて、前記アプリケーションの開始を可能にすべきかどうかを決定することと
を備える方法。
【請求項２】
前記アプリケーションの開始を可能にすべきかどうかを決定することは、
適用可能性の前記少なくとも１つの指示が、現在のＵＥ接続状態についての前記アプリケーションのためのアプリケーションカテゴリーに関連付けられたアクセス制御の適用可能性を示すと決定することと、
前記アクセス制御に少なくとも基づいて、前記アプリケーションの開始を可能にすべきかどうかを決定することと
を備える、請求項１に記載の方法。
【請求項３】
前記アクセス制御が、禁止レート、アクセス制御の平均持続時間、またはそれらの組合せを備える、請求項２に記載の方法。
【請求項４】
前記アプリケーションの開始を可能にすべきかどうかを決定することは、
ランダム禁止数を決定することと、
前記ランダム禁止数が前記アプリケーションカテゴリーについての前記禁止レートを超えると決定することに基づいて、前記アプリケーションの開始を可能にしないことを決定することと
を備える、請求項３に記載の方法。
【請求項５】
アクセス制御の前記平均持続時間に少なくとも基づいて、前記アプリケーションについての禁止時間期間を決定することと、
前記禁止時間期間の経過の後、前記アプリケーションの開始についての延期された開始動作を実行することと
をさらに備える、請求項４に記載の方法。
【請求項６】
前記アプリケーションの開始を可能にすべきかどうかを決定することは、
ランダム禁止数を決定することと、
前記ランダム禁止数が前記アプリケーションカテゴリーについての前記禁止レートよりも小さいと決定することに基づいて、前記アプリケーションの開始を可能にすることを決定することと
を備える、請求項３に記載の方法。
【請求項７】
前記アプリケーションの開始を可能にすべきかどうかを決定することは、
適用可能性の前記少なくとも１つの指示が、現在のＵＥ接続状態についての前記アプリケーションのためのアプリケーションカテゴリーに関連付けられたアクセス制御について非適用可能性を示すと決定することに少なくとも基づいて、前記アプリケーションの開始を可能にすること
を備える、請求項１に記載の方法。
【請求項８】
適用可能性の前記少なくとも１つの指示が、前記複数のアプリケーションカテゴリーについての前記少なくとも１つのＵＥ接続状態への前記アクセス制御の適用可能性を示す制御ビットの１つのセットを備える、請求項１に記載の方法。
【請求項９】
適用可能性の前記少なくとも１つの指示は、前記複数のアプリケーションカテゴリーのうちの１つについての前記少なくとも１つのＵＥ接続状態への前記アクセス制御の適用可能性を各々が示す、制御ビットの複数のセットを備える、請求項１に記載の方法。
【請求項１０】
前記少なくとも１つのＵＥ接続状態が、接続状態、アイドル状態、またはそれらの組合せを備える、請求項１に記載の方法。
【請求項１１】
前記ジョイント制御信号が、データ通信のためのアプリケーション固有の輻輳制御（ＡＣＤＣ）およびモバイル発信通信の防止（ＰＭＯＣ）のために使用される、請求項１に記載の方法。
【請求項１２】
前記アプリケーションを開始するという前記意図を決定することが、前記アプリケーションを開始するという前記意図を示すユーザ入力を受信することを備える、請求項１に記載の方法。
【請求項１３】
前記ジョイント制御信号がシステム情報ブロック（ＳＩＢ）内で受信される、請求項１に記載の方法。
【請求項１４】
ワイヤレス通信のための装置であって、
複数のアプリケーションカテゴリーについてのアクセス制御と、少なくとも１つのＵＥ接続状態への前記アクセス制御の適用可能性の少なくとも１つの指示とを備えるジョイント制御信号を受信するための手段と、
ワイヤレス通信ネットワーク上で通信動作を実行するための前記複数のアプリケーションカテゴリーのうちの少なくとも１つに属するアプリケーションを開始するという意図を決定するための手段と、
前記アクセス制御と、適用可能性の前記少なくとも１つの指示とに少なくとも基づいて、前記アプリケーションの開始を可能にすべきかどうかを決定するための手段と
を備える、ワイヤレス通信のための装置。
【請求項１５】
コンピュータに、請求項１乃至１３のいずれか一項に記載の方法を実行させるコンピュータプログラム。
【発明の詳細な説明】
【技術分野】
【０００１】
相互参照
[0001]本特許出願は、各々が本出願の譲受人に譲渡された、２０１５年４月６日に出願された、「Method of Unified Control of Random Access and Traffic Ingress in a Congested Radio Access Network」と題する、Ｇｏｇｉｃらによる米国特許出願第１４／６７９，８１０号、および２０１４年４月８日に出願された、「Method of Unified Control of Random Access and Traffic Ingress in a Congested Radio Access Network」と題する、Ｇｏｇｉｃらによる米国仮特許出願第６１／９７６，８６７号の優先権を主張する。
【背景技術】
【０００２】
[0002]以下は、一般にワイヤレス通信に関し、より詳細には、アクセス制御に関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス通信ネットワークは、いくつかのユーザ機器（ＵＥ）のための通信をサポートすることができるいくつかの基地局、ノードＢ、またはｅノードＢ（ｅＮＢ）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]ＵＥは、ｅＮＢとの接続を確立または再確立するとき、ランダムアクセスプロシージャを使用し得る。ランダムアクセスプロシージャは、物理ランダムアクセスチャネル（ＰＲＡＣＨ）を使用するランダムアクセスプリアンブルの送信を含み得る。緊急事態中など、いくつかの時間においては、基地局は、ランダムアクセス要求でオーバーロードされることがあり、ＰＲＡＣＨ上の高干渉が原因でランダムアクセス要求を検出することができないことがある。同様に、アップリンクまたはダウンリンクのいずれかにおける全体的トラフィック負荷が非常に高く、多くの要求拒否を生じることがある。重要または重大な通信を行うことを試みるユーザについてアクセスを可能にしながら、ランダムアクセス要求または全体的トラフィック負荷を低減することは、多元接続環境における課題をもたらすことがある。
【発明の概要】
【０００５】
[0005]説明する特徴は、一般に、ジョイント制御信号を使用するランダムアクセスおよびトラフィック進入についてのアプリケーションカテゴリーレベルのアクセス制御（application category-level access control）のための１つまたは複数の改善されたシステム、方法、および／または装置に関する。ジョイント制御信号は、アプリケーションカテゴリーアクセス制御、ならびにアクセス制御がそれについて適用される接続状態（たとえば、アイドル状態、接続状態など）を示し得る適用可能性（applicability）の指示（indication）を含み得る。追加または代替として、適用可能性の指示は、アクセス制御の原因（たとえば、ＰＲＡＣＨオーバーロード、ｅＮＢ上の過大なトラフィックなど）を示し得る。リソースは、接続状態、アイドル状態、またはその両方にあるＵＥのためにアプリケーションカテゴリーアクセス制御の単一のセットを使用し、適用可能性の指示を介してアクセス制御の適用を制御することによって温存され得る。ジョイントアクセス制御は、システム情報ブロック（ＳＩＢ）など、信号を使用してＵＥに送信され得る。
【０００６】
[0006]適用可能性の指示は、すべてのアプリケーションカテゴリーアクセス制御、アプリケーションカテゴリーアクセス制御のグループに適用され得るか、または各アプリケーションカテゴリーアクセス制御についての適用可能性の別個の指示があり得る。アプリケーションカテゴリーアクセス制御は、禁止レート（barring rate）およびアクセス制御の平均持続時間を含み得る。禁止レートは、アプリケーションが開始される確率に影響を及ぼす値であり得る。禁止レートは２進数であり得るか（たとえば、可能または禁止を示す）、またはそれは、開始を可能にすることと開始を禁止することとの間にある開始の確率にリンクされたものなど、多数の異なる値を有し得る。アプリケーションが開始することを可能にされない場合、それは禁止され得るか、またはそれは延期され得る。アプリケーションが延期される場合、それは、アクセス制御に含まれるアクセス制御の平均持続時間に少なくとも部分的に基づいて決定され得る禁止時間期間の間延期され得る。
【０００７】
[0007]いくつかの例では、ジョイント制御信号を使用するアクセス制御のための方法は、複数のアプリケーションカテゴリーについてのアクセス制御と、少なくとも１つのＵＥ接続状態へのアクセス制御の適用可能性の少なくとも１つの指示とを含むジョイント制御信号を受信することと、ワイヤレス通信ネットワーク上で通信動作を実行するための複数のアプリケーションカテゴリーのうちの少なくとも１つに属するアプリケーションを開始するという意図を決定することと、アクセス制御と、適用可能性の少なくとも１つの指示とに少なくとも部分的に基づいて、アプリケーションの開始を可能にすべきか禁止すべきかを決定することとを含む。
【０００８】
[0008]いくつかの例では、ジョイント制御信号を使用するアクセス制御のための装置は、プロセッサと、プロセッサと電子通信しているメモリと、メモリに記憶された命令とを含む。命令は、複数のアプリケーションカテゴリーについてのアクセス制御と、少なくとも１つのＵＥ接続状態へのアクセス制御の適用可能性の少なくとも１つの指示とを含むジョイント制御信号を受信することと、ワイヤレス通信ネットワーク上で通信動作を実行するための複数のアプリケーションカテゴリーのうちの少なくとも１つに属するアプリケーションを開始するという意図を決定することと、アクセス制御と、適用可能性の少なくとも１つの指示とに少なくとも部分的に基づいて、アプリケーションの開始を可能にすべきか禁止すべきかを決定することとを行うためにプロセッサによって実行可能であり得る。
【０００９】
[0009]いくつかの例では、ジョイント制御信号を使用するアクセス制御のためのシステムは、複数のアプリケーションカテゴリーについてのアクセス制御と、少なくとも１つのＵＥ接続状態へのアクセス制御の適用可能性の少なくとも１つの指示とを含むジョイント制御信号を受信するための手段と、ワイヤレス通信ネットワーク上で通信動作を実行するための複数のアプリケーションカテゴリーのうちの少なくとも１つに属するアプリケーションを開始するという意図を決定するための手段と、アクセス制御と、適用可能性の少なくとも１つの指示とに少なくとも部分的に基づいて、アプリケーションの開始を可能にすべきか禁止すべきかを決定するための手段とを含む。
【００１０】
[0010]いくつかの例では、ジョイント制御信号を使用するアクセス制御のためのコンピュータプログラム製品は、複数のアプリケーションカテゴリーについてのアクセス制御と、少なくとも１つのＵＥ接続状態へのアクセス制御の適用可能性の少なくとも１つの指示とを含むジョイント制御信号を受信することと、ワイヤレス通信ネットワーク上で通信動作を実行するための複数のアプリケーションカテゴリーのうちの少なくとも１つに属するアプリケーションを開始するという意図を決定することと、アクセス制御と、適用可能性の少なくとも１つの指示とに少なくとも部分的に基づいて、アプリケーションの開始を可能にすべきか禁止すべきかを決定することとを行うためのコードを記憶する非一時的コンピュータ可読媒体を含む。
【００１１】
[0011]本方法、装置、システム、および／またはコンピュータプログラム製品のいくつかの例では、アプリケーションの開始を可能にすべきか禁止すべきかを決定することは、適用可能性の少なくとも１つの指示が、現在のＵＥ接続状態についてのアプリケーションのためのアプリケーションカテゴリーに関連付けられたアクセス制御の適用可能性を示すと決定することと、アクセス制御に少なくとも部分的に基づいて、アプリケーションの開始を可能にすべきか禁止すべきかを決定することとを含む。アクセス制御は、禁止レート、アクセス制御の平均持続時間、またはそれらの組合せのうちの少なくとも１つを含み得る。いくつかの例では、アプリケーションの開始を可能にすべきか禁止すべきかを決定することは、ランダム禁止数（random barring number）を決定することと、ランダム禁止数がアプリケーションカテゴリーについての禁止レートを超えると決定することに基づいて、アプリケーションの開始を禁止することを決定することとを含む。追加または代替として、アプリケーションの開始を可能にすべきか禁止すべきかを決定することは、ランダム禁止数を決定することと、ランダム禁止数がアプリケーションカテゴリーについての禁止レートよりも小さいと決定することに基づいて、アプリケーションの開始を可能にすることを決定することとを含み得る。
【００１２】
[0012]本方法、装置、システム、および／またはコンピュータプログラム製品の様々な例は、アクセス制御の平均持続時間に少なくとも部分的に基づいて、アプリケーションについての禁止時間期間を決定することと、禁止時間期間の経過の後、アプリケーションの開始についての延期された開始動作を実行することとを行うためのプロセッサ実行可能命令、手段、および／またはコードの特徴を含み得る。延期された開始動作は、アクセス制御に少なくとも部分的に基づいて、禁止時間期間の経過の後、アプリケーションの開始を可能にすべきか禁止すべきかを決定することを含み得る。場合によっては、禁止レートは、複数のアプリケーションカテゴリーについての禁止レート値を示す制御ビットの１つのセットを含む。いくつかの例では、禁止レートは、複数のアプリケーションカテゴリーのうちの１つについての禁止レート値を各々が示す制御ビットの複数のセットを含む。
【００１３】
[0013]本方法、装置、システム、および／またはコンピュータプログラム製品のいくつかの例では、アプリケーションの開始を可能にすべきか禁止すべきかを決定することは、適用可能性の少なくとも１つの指示が、現在のＵＥ接続状態についてのアプリケーションのためのアプリケーションカテゴリーに関連付けられたアクセス制御について非適用可能性（non-applicability）を示すと決定することに少なくとも部分的に基づいて、アプリケーションの開始を可能にすることを含む。適用可能性の少なくとも１つの指示は、複数のアプリケーションカテゴリーについての少なくとも１つのＵＥ接続状態へのアクセス制御の適用可能性を示す制御ビットの１つのセットを含み得る。いくつかの例では、適用可能性の少なくとも１つの指示は、複数のアプリケーションカテゴリーのうちの１つについての少なくとも１つのＵＥ接続状態へのアクセス制御の適用可能性を各々が示す制御ビットの複数のセットを含む。場合によっては、少なくとも１つのＵＥ接続状態は、接続状態またはアイドル状態のうちの少なくとも１つ、あるいはそれらの組合せを含む。
【００１４】
[0014]本方法、装置、システム、および／またはコンピュータプログラム製品のいくつかの例では、ジョイント制御信号は、データ通信のためのアプリケーション固有の輻輳制御（ＡＣＤＣ：application specific congestion control for data communications）およびモバイル発信通信の防止（ＰＭＯＣ：prevention of mobile originated communication）のために使用される。いくつかの例では、アプリケーションを開始するという意図を決定することは、アプリケーションを開始するという意図を示すユーザ入力を受信することを含む。ジョイント制御信号は、システム情報ブロック（ＳＩＢ）内で受信され得る。
【００１５】
[0015]説明する方法および装置の適用可能性のさらなる範囲は、以下の発明を実施するための形態、特許請求の範囲、および図面から明らかになろう。発明を実施するための形態の趣旨および範囲内にある様々な変更および改変が当業者には明らかであるので、発明を実施するための形態および具体例は例示として与えられるものにすぎない。
【００１６】
[0016]本開示の性質および利点のさらなる理解は、以下の図面を参照して実現され得る。添付図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００１７】
【図１】[0017]ワイヤレス通信システムを示す図。
【図２】[0018]本開示の様々な態様による、アイドル状態および接続状態にあるデバイスを含むシステムを示す図。
【図３】[0019]本開示の様々な態様による、ワイヤレス通信システムにおいてジョイント制御信号を使用することの一例を示すコールフロー図。
【図４Ａ】[0020]本開示の様々な態様による、例示的なアクセス制御のブロック図。
【図４Ｂ】本開示の様々な態様による、例示的なアクセス制御のブロック図。
【図５Ａ】[0021]本開示の様々な態様による、例示的なジョイント制御信号のブロック図。
【図５Ｂ】本開示の様々な態様による、例示的なジョイント制御信号のブロック図。
【図５Ｃ】本開示の様々な態様による、例示的なジョイント制御信号のブロック図。
【図５Ｄ】本開示の様々な態様による、例示的なジョイント制御信号のブロック図。
【図５Ｅ】本開示の様々な態様による、例示的なジョイント制御信号のブロック図。
【図６】[0022]本開示の様々な態様による、ワイヤレス通信システムにおいて採用され得る例示的なデバイスのブロック図。
【図７】[0023]本開示の様々な態様による、ワイヤレス通信システムにおいて採用され得る例示的なデバイスのブロック図。
【図８】[0024]本開示の様々な態様による、ジョイント制御信号を使用するように構成されたモバイルデバイスのブロック図。
【図９】[0025]本開示の様々な態様による、ジョイント制御信号を使用するように構成され得る通信システムのブロック図。
【図１０】[0026]本開示の様々な態様による、ジョイント制御信号を処理するための方法のフローチャート。
【図１１】[0027]本開示の様々な態様による、ジョイント制御信号を処理するための方法のフローチャート。
【発明を実施するための形態】
【００１８】
[0028]重要な通信を阻害することなしに基地局（たとえば、ｅＮＢ）の物理リソースの輻輳を緩和するために、アクセス制御が望まれ得る。ＵＥレベルのアクセス制御は、多くのデバイスがアクセス制御の同じレベルを共有し得るので、広すぎることがある。アクセス制御は、アプリケーションカテゴリーを形成するために同様のネットワークアクセス優先度を有する他のアプリケーションとともにアプリケーションをグループ化することによって、アプリケーションレベルにおいて適用され得る。アクセス制御は、アプリケーションカテゴリーの各々について指定され得る。アプリケーションカテゴリーレベルアクセス制御はｅＮＢがリソースをより効率的に使用することを可能にし得るが、時々、ＵＥは過度に制限される。たとえば、多数のＵＥがランダムアクセスを実行することを試みることは、物理的ランダムアクセスリソースの輻輳を生じ得る。またあるときには、ｅＮＢは、アクセス要求のための利用可能なリソースを有するが、ｅＮＢとデータを交換するＵＥからの高い全体的トラフィック負荷を有し得る。
【００１９】
[0029]説明する例は、ジョイント制御信号を使用するランダムアクセスおよびトラフィック進入についてのアプリケーションカテゴリーレベルアクセス制御のための１つまたは複数の改善されたシステム、方法、および／または装置を含む。ジョイント制御信号は、アプリケーションカテゴリーアクセス制御、ならびにアクセス制御がそれについて適用される接続状態（たとえば、アイドル状態、接続状態など）を示し得る適用可能性の指示を含み得る。追加または代替として、適用可能性の指示は、アクセス制御の原因（たとえば、ＰＲＡＣＨオーバーロード、ｅＮＢ上の過大なトラフィックなど）を示し得る。リソースは、接続状態、アイドル状態、またはその両方にあるＵＥのためにアプリケーションカテゴリーアクセス制御の単一のセットを使用し、適用可能性の指示を介してアクセス制御の適用を制御することによって温存され得る。ジョイントアクセス制御は、ＳＩＢなど、信号を使用してＵＥに送信され得る。
【００２０】
[0030]適用可能性の指示は、すべてのアプリケーションカテゴリーアクセス制御、アプリケーションカテゴリーアクセス制御のグループに適用され得るか、または各アプリケーションカテゴリーアクセス制御についての適用可能性の別個の指示があり得る。アプリケーションカテゴリーアクセス制御は、禁止レートおよびアクセス制御の平均持続時間を含み得る。禁止レートは、アプリケーションが開始される確率に影響を及ぼす値であり得る。禁止レートは２進数であり得るか（たとえば、可能または禁止を示す）、またはそれは、開始を可能にすることと開始を禁止することとの間にある開始の確率にリンクされたものなど、多数の異なる値を有し得る。アプリケーションが開始することを可能にされない場合、それは禁止され得るか、またはそれは延期され得る。アプリケーションが延期される場合、それは、アクセス制御に含まれるアクセス制御の平均持続時間に少なくとも部分的に基づいて決定され得る禁止時間期間の間延期され得る。
【００２１】
[0031]以下の説明は、例を与えるものであり、特許請求の範囲に記載される範囲、適用可能性、または構成を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２２】
[0032]最初に図１を参照すると、図は、ワイヤレス通信システム１００の一例を示している。システム１００は、基地局（またはセル）１０５と、通信デバイス１１５と、コアネットワーク１３０とを含む。基地局１０５は、様々な例ではコアネットワーク１３０または基地局１０５の一部であり得る、基地局コントローラ（図示せず）の制御下で通信デバイス１１５と通信し得る。基地局１０５は、バックホールリンク１３２を通してコアネットワーク１３０と制御情報および／またはユーザデータを通信し得る。バックホールリンク１３２は、ワイヤードバックホールリンク（たとえば、銅、ファイバーなど）および／またはワイヤレスバックホールリンク（たとえば、マイクロ波など）であり得る。場合によっては、基地局１０５は、ワイヤードまたはワイヤレス通信リンクであり得るバックホールリンク１３４を介して、直接的または間接的のいずれかで、互いに通信し得る。
【００２３】
[0033]基地局１０５は、１つまたは複数の基地局アンテナを使用して通信リンク１２５を介してデバイス１１５とワイヤレス通信し得る。基地局１０５サイトの各々は、それぞれのカバレージエリア１１０に通信カバレージを与え得る。場合によっては、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局のためのカバレージエリア１１０は、カバレージエリアの一部分のみを構成するセクタ（図示せず）に分割され得る。「セル」という用語は、基地局におけるキャリアまたは基地局のカバレージエリア（たとえば、セクタなど）について説明するために使用され得る３ＧＰＰ（登録商標）用語である。たとえば、キャリアアグリゲーションの場合、セルという用語は、ダウンリンクアップリンクキャリアペアまたは追加のダウンリンクコンポーネントキャリアを指し得る。システム１００は、２つ以上の無線アクセスネットワーク（ＲＡＮ）を含み得、異なる無線アクセス技術（ＲＡＴ）を採用し得る。場合によっては、異なるＲＡＴの基地局１０５はコロケートされ得る。したがって、異なる技術のための重複するカバレージエリアがあり得る。
【００２４】
[0034]ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００２５】
[0035]通信デバイス１１５はワイヤレスネットワーク１００全体にわたって分散され、各デバイスは固定または移動であり得る。通信デバイス１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器（ＵＥ）、モバイルクライアント、クライアント、または何らかの他の好適な用語で呼ばれることもある。通信デバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。通信デバイスは、マクロ基地局、ピコ基地局、フェムト基地局、リレー基地局などと通信することが可能であり得る。
【００２６】
[0036]ネットワーク１００中に示された送信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。
【００２７】
[0037]システム１００は、複数のキャリアまたはサブキャリア（異なる周波数の波形信号）上での動作をサポートし得る。マルチキャリア送信機は、複数のサブキャリア上で同時に被変調信号を送信することができる。たとえば、各通信リンク１２５は、上記で説明した様々な無線技術に従って変調されたマルチキャリア信号であり得る。各被変調信号は、異なるサブキャリア上で送られ得、制御情報（たとえば、基準信号、制御チャネルなど）、オーバーヘッド情報、データなどを搬送し得る。
【００２８】
[0038]例では、システム１００はＬＴＥ（登録商標）／ＬＴＥ−Ａネットワークを含む。ＬＴＥ／ＬＴＥ−Ａネットワークでは、概して、発展型ノードＢ（ｅＮＢ）およびユーザ機器（ＵＥ）という用語は、それぞれ、基地局１０５および通信デバイス１１５を表すために使用され得る。たとえば、システム１００は、異なるタイプのｅＮＢが様々な地理的領域にカバレージを与える、異種ＬＴＥ／ＬＴＥ−Ａネットワークを含み得る。たとえば、各ｅＮＢ１０５は、通信カバレージをマクロセル、ピコセル、フェムトセル、スモールセル、および／または他のタイプのセルに与え得る。マクロセルは、概して、比較的大きい地理的エリア（たとえば、半径数キロメートル）をカバーするが、ピコセルまたはスモールセルは、概して、比較的より小さい地理的エリアをカバーすることになる。マクロセルおよびピコセルは、ネットワークプロバイダのサービスに加入しているＵＥによる無制限のアクセスを可能にし得る。また、フェムトセルは、概して、比較的小さい地理的エリア（たとえば、自宅）をカバーすることになり、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２９】
[0039]ＬＴＥ／ＬＴＥ−Ａネットワークアーキテクチャによるワイヤレスシステムは、発展型パケットシステム（ＥＰＳ：Evolved Packet System）と呼ばれることがある。ＥＰＳは、ＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）（たとえば、コアネットワーク１３０）と、ホーム加入者サーバ（ＨＳＳ：Home Subscriber Server）と、事業者のＩＰサービスとを含み得る。ＥＰＳは、他の無線アクセス技術を使用して他のアクセスネットワークと相互接続し得る。たとえば、ＥＰＳは、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続し得る。ＵＥ１１５のモビリティおよび／または負荷分散をサポートするために、ＥＰＳは、ＬＴＥ／ＬＴＥ−Ａ  ｅＮＢ１０５間のＲＡＴ内ハンドオーバ、およびＬＴＥ／ＬＴＥ−Ａ  ｅＮＢ１０５と、異なるＲＡＴの基地局１０５との間（たとえば、Ｅ−ＵＴＲＡＮとＣＤＭＡとの間など）のＲＡＴ間ハンドオーバをサポートし得る。ＥＰＳはパケット交換サービスを与え得るが、当業者が容易に諒解するように、本開示全体にわたって提示される様々な概念は、回線交換サービスを与えるネットワークに拡張され得る。
【００３０】
[0040]Ｅ−ＵＴＲＡＮは、ｅＮＢ１０５を含み得、ＵＥ１１５に対してユーザプレーンプロトコル終端と制御プレーンプロトコル終端とを与え得る。ｅＮＢ１０５は、バックホールリンク１３４（たとえば、Ｘ２インターフェースなど）を介して他のｅＮＢ１０５に接続され得る。ｅＮＢ１０５は、ＵＥ１１５にＥＰＣ１３０へのアクセスポイントを与え得る。ｅＮＢ１０５は、バックホールリンク１３２（たとえば、Ｓ１インターフェースなど）によってＥＰＣ１３０に接続され得る。ＥＰＣ１３０内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイとを含み得る（図示せず）。概して、ＭＭＥはベアラおよび接続管理を行い得る。すべてのユーザＩＰパケットはサービングゲートウェイを通してルーティングされ得、サービングゲートウェイ自体はＰＤＮゲートウェイに接続され得る。ＰＤＮゲートウェイはＵＥのＩＰアドレス割振りならびに他の機能を与え得る。ＰＤＮゲートウェイは、ＩＰネットワークおよび／または事業者のＩＰサービスに接続され得る。これらの論理ノードは別個の物理ノードにおいて実装され得るか、または１つまたは複数が単一の物理ノードにおいて組み合わせられ得る。ＩＰネットワーク／事業者のＩＰサービスは、インターネット、イントラネット、コンテンツ配信ネットワーク（ＣＤＮ）、および／またはパケット交換マルチメディアストリーミングサービス（たとえば、ＩＰマルチメディアサブシステム（ＩＭＳ）、パケット交換ストリーミングサービス（ＰＳＳ）など）を含み得る。
【００３１】
[0041]ＵＥ１１５は、たとえば、多入力多出力（ＭＩＭＯ：Multiple Input Multiple Output）、多地点協調（ＣｏＭＰ：Coordinated Multi-Point）、または他の方式を通して、複数のｅＮＢ１０５と共同的に通信するように構成され得る。ＭＩＭＯ技法は、複数のデータストリームを送信するためにマルチパス環境を利用するために、基地局上の複数のアンテナおよび／またはＵＥ上の複数のアンテナを使用する。通信リンクの「ランク」は、通信のために使用されるデータストリームの数を示し得る。ＣｏＭＰは、ＵＥのための全体的伝送品質を改善するためにならびにネットワークおよびスペクトル稼働率を増加させる、いくつかのｅＮＢによる送信および受信の動的協調のための技法を含む。概して、ＣｏＭＰ技法は、ＵＥ１１５のための制御プレーン通信とユーザプレーン通信とを協調させるために、基地局１０５間の通信のためにバックホールリンク１３２および／または１３４を利用する。
【００３２】
[0042]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤは、論理チャネル上で通信するために、パケットセグメンテーションおよびリアセンブリを実行し得る。媒体アクセス制御（ＭＡＣ）レイヤは、優先度処理、およびトランスポートチャネルへの論理チャネルの多重化を実行し得る。ＭＡＣレイヤはまた、信頼できるデータ送信を保証するために、ＭＡＣレイヤにおける再送信を与えるためにハイブリッド自動再送要求（ＨＡＲＱ）技法を使用し得る。制御プレーンでは、無線リソース制御（ＲＲＣ）プロトコルレイヤは、ユーザプレーンデータのために使用される、ＵＥとネットワークとの間のＲＲＣ接続の確立と構成と保守とを行い得る。物理レイヤにおいて、トランスポートチャネルは物理チャネルにマッピングされ得る。
【００３３】
[0043]ダウンリンク物理チャネルは、物理ダウンリンク制御チャネル（ＰＤＣＣＨ：physical downlink control channel）、物理ＨＡＲＱインジケータチャネル（ＰＨＩＣＨ：physical HARQ indicator channel）、および物理ダウンリンク共有チャネル（ＰＤＳＣＨ：physical downlink shared channel）のうちの少なくとも１つを含み得る。アップリンク物理チャネルは、物理アップリンク制御チャネル（ＰＵＣＣＨ：physical uplink control channel）および物理アップリンク共有チャネル（ＰＵＳＣＨ：physical uplink shared channel）のうちの少なくとも１つを含み得る。ＰＤＣＣＨは、ＰＤＳＣＨ上でのＵＥのためのデータ送信を示し、ならびにＰＵＳＣＨについてＵＥにＵＬリソース許可を与え得る、ダウンリンク制御情報（ＤＣＩ：downlink control information）を搬送し得る。ＵＥは、制御セクション中の割り当てられたリソースブロック上のＰＵＣＣＨ中で制御情報を送信し得る。ＵＥは、データセクション中の割り当てられたリソースブロック上のＰＵＳＣＨ中でデータのみまたはデータと制御情報の両方を送信し得る。
【００３４】
[0044]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよび／またはＳＣ−ＦＤＭＡキャリアは、一般にトーン、ビンなどとも呼ばれる複数（Ｋ個）の直交サブキャリアに区分され得る。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅について、１５キロヘルツ（ＫＨｚ）のサブキャリア間隔では、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【００３５】
[0045]キャリアは、（たとえば、対スペクトルリソースを使用する）ＦＤＤまたは（たとえば、不対スペクトルリソースを使用する）ＴＤＤ動作を使用して、双方向通信を送信し得る。ＦＤＤのためのフレーム構造（たとえば、フレーム構造タイプ１）およびＴＤＤのためのフレーム構造（たとえば、フレーム構造タイプ２）が定義され得る。時間間隔は、基本時間単位Ｔs＝１／３０７２００００の倍数単位で表され得る。各フレーム構造は、無線フレーム長さＴf＝３０７２００・Ｔs＝１０ｍｓを有し得、それぞれ長さ１５３６００・Ｔs＝５ｍｓの２つのハーフフレームまたはスロットを含み得る。各ハーフフレームは、長さ３０７２０・Ｔs＝１ｍｓの５つのサブフレームを含み得る。
【００３６】
[0046]ワイヤレスネットワーク１００は、キャリアアグリゲーション（ＣＡ）またはマルチキャリア動作と呼ばれることがある、複数のキャリア上での動作をサポートし得る。キャリアは、コンポーネントキャリア（ＣＣ）、レイヤ、チャネルなどと呼ばれることもある。「キャリア」、「レイヤ」、「ＣＣ」、および「チャネル」という用語は、本明細書では互換的に使用されることがある。ダウンリンクのために使用されるキャリアはダウンリンクＣＣと呼ばれることがあり、アップリンクのために使用されるキャリアはアップリンクＣＣと呼ばれることがある。ＵＥ１１５は、キャリアアグリゲーションのための、複数のダウンリンクＣＣと１つまたは複数のアップリンクＣＣとで構成され得る。マルチレイヤｅＮＢ１０５は、ダウンリンクおよび／またはアップリンク上の複数のＣＣ上でのＵＥとの通信をサポートするように構成され得る。したがって、ＵＥ１１５は、１つのマルチレイヤｅＮＢ１０５から、または複数のｅＮＢ１０５（たとえば、シングルレイヤｅＮＢまたはマルチレイヤｅＮＢ）から１つまたは複数のダウンリンクＣＣ上でデータおよび制御情報を受信し得る。ＵＥ１１５は、１つまたは複数のアップリンクＣＣ上でデータおよび制御情報をｅＮＢ１０５に送信し得る。キャリアアグリゲーションは、ＦＤＤコンポーネントキャリアとＴＤＤコンポーネントキャリアの両方とともに使用され得る。
【００３７】
[0047]ワイヤレスネットワーク１００におけるＵＥ１１５は異なる接続状態を有し得る。ＵＥ１１５は、（ＲＲＣ＿ＩＤＬＥなどの）アイドル状態または（ＲＲＣ＿ＣＯＮＮＥＣＴＥＤなどの）接続状態にあり得る。アイドル状態にあるＵＥ１１５は、同期信号（たとえば、１次同期信号（ＰＳＳ）、２次同期信号（ＳＳＳ）など）、基準信号（たとえば、共通基準信号（ＣＲＳ））、システム情報（システム情報ブロック（ＳＩＢ）など）、ページングメッセージなど、信号をｅＮＢ１０５から受信し得るが、概して、ｅＮＢ１０５とアプリケーションデータを交換しない。接続状態にあるＵＥ１１５は、上記で説明したアイドル状態にあるＵＥによって受信されたシグナリングを受信し得、ｅＮＢ１０５からの追加の信号またはチャネル（たとえば、ＵＥ固有基準信号、復調基準信号（ＤＭ−ＲＳ）など）を受信し得る。接続状態にあるＵＥ１１５はまた、アプリケーションデータの通信のために必要なパラメータを交換し得る。たとえば、ＵＥ１１５およびｅＮＢ１０５は、接続を確立することの一部としてリソース割振りをシグナリングするために、制御チャネルを使用するためのパラメータを交換し得る。ＵＥ１１５は、アイドル状態から接続状態に、および接続状態からアイドル状態に遷移し得る。
【００３８】
[0048]いくつかの状況では、ｅＮＢ１０５は、短い時間期間で多数のアクセス要求（たとえば、ＲＡＣＨ要求）を受信し得、アクセス要求のために使用されるチャネルにおける高干渉は、ｅＮＢ１０５が要求を正しく受信することを阻害し得る。同様に、ｅＮＢ１０５は、サービス要求に応答するためのｅＮＢ１０５の能力を阻害する、アップリンクおよび／またはダウンリンクにおける高い全体的トラフィック負荷を有し得る。たとえば、ｅＮＢ１０５がオーバーロードされたとき、ＵＥ１１５からの多くのサービス要求はｅＮＢ１０５によって拒否され得る。さらに、ｅＮＢ１０５は、いずれの要求を許可および／または拒否すべきかを決定するためにリソースを必要とし、問題を増やし得る。トラフィックを低減し、ｅＮＢ１０５がオーバーロードになることを防ぐために、アクセス制御が使用され得る。ｅＮＢ１０５は、アクセス要求またはデータ送信のための要求を制限または遅延させるためのプロシージャを実行するようにＵＥ１１５に命令するために、ＵＥ１１５にアクセス制御を送信し得る。ＵＥ１１５がリソースを要求するより前にこれらのアクセス制御プロシージャを実行するとき、それは、オーバーローディングが起こったときにどのようにリソースを共有すべきかを決定するためにｅＮＢ１０５が使用し得るリソースを解放する。さらに、ＵＥ１１５は何らかのトラフィックを禁止または遅延させ、ｅＮＢ１０５が、それがオーバーローディング状態を緩和するために現在処理しているトラフィックおよび要求に適切に対処することを可能にする。
【００３９】
[0049]図２に、本開示の様々な態様による、ｅＮＢ１０５−ａによってサービスされるＵＥ１１５を含むシステム２００を示す。図２は、図１のＵＥ１１５およびｅＮＢ１０５の例であり得る、ＵＥ１１５とｅＮＢ１０５−ａとの間の通信を示す。ｅＮＢ１０５−ａのカバレージエリア内に、異なる接続状態（たとえば、ＲＲＣ＿ＣＯＮＮＥＣＴＥＤまたはＲＲＣ＿ＩＤＬＥ）のＵＥ１１５があり得る。アイドル状態（たとえば、ＲＲＣ＿ＩＤＬＥ）にあるＵＥ１１５は、ｅＮＢ１０５−ａとの確立されたデータ接続リンク２２０を有することなしに、ｅＮＢ１０５−ａからブロードキャストシステム収集およびタイミング信号２１０を受信し得る。場合によっては、これらの信号２１０は、基準信号、同期信号、システム情報信号、ページングメッセージングなどを含み得る。ブロードキャストシステム収集およびタイミング信号２１０を受信することに加えて、接続状態（すなわち、ＲＲＣ＿ＣＯＮＮＥＣＴＥＤ）にあるＵＥ１１５は、ｅＮＢ１０５−ａとの確立されたデータ接続リンク２２０を有し得、リソース許可を受信し、キャリアのデータチャネル（たとえば、ＰＤＳＣＨ、ＰＵＳＣＨなど）上でデータを交換するように構成される。図２に示されているように、システム２００は、アイドル状態にあるＵＥ１１５−ｂと、接続状態にあるＵＥ１１５−ａとを含む。
【００４０】
[0050]アイドル状態にあるＵＥ１１５（たとえば、ＵＥ１１５−ｂ）は、ｅＮＢ１０５−ａの物理ランダムアクセスチャネル（ＰＲＡＣＨ）上でランダムアクセスプロシージャを使用することなどによって、接続状態に遷移し得る。場合によっては、ランダムアクセスプロシージャは、ｅＮＢ１０５−ａにランダムアクセスプリアンブルを送信することと、ｅＮＢ１０５−ａからランダムアクセス応答を受信することとを含む。ランダムアクセスプロシージャは、ｅＮＢ１０５−ａを介してアクセスされるネットワーク（たとえば、インターネット）とデータを交換するＵＥ１１５−ｂにおけるアプリケーションの開始または使用によって開始され得る。図２に示されているように、システム２００はまた、接続状態にあるＵＥ１１５（たとえば、ＵＥ１１５−ａ）を含み得る。接続状態にあるＵＥ１１５は、データがｅＮＢ１０５−ａと交換されないあらかじめ決定された時間期間の後、アイドル状態に遷移し得る。接続状態にある２つのＵＥ１１５およびアイドル状態にある２つのＵＥ１１５のみをもつシステム２００が示されているが、システム２００は、所与の時間に、アイドル状態または接続状態にあるより多いまたはより少ないＵＥを有し得ることを諒解されたい。
【００４１】
[0051]時々、ｅＮＢ１０５−ａは、（たとえば、ＰＲＡＣＨなどを介して）アクセス要求を低減するためにアクセス制御を使用し得る。様々なネットワークは、アクセスクラス禁止（ＡＣＢ）によるＵＥレベルアクセス制御を採用する。アクセス要求を制限することは、アイドル状態にあるＵＥ１１５がアクセス要求を実行する能力を阻害し得る。たとえば、ＵＥ１１５はアクセスクラス（ＡＣ）に割り当てられ得、ネットワークは様々なクラスについて禁止情報を送信し得る。たとえば、ＡＣ０〜１５が定義され得る。ＡＣ０〜９は、各ＵＥに割り当てられ得、ＵＥが自宅内にあるのか訪問先パブリックランドモバイルネットワーク（ＰＬＭＮ）中にあるのかにかかわらず適用され得、他方、ＡＣ１１〜１５は、特殊サブスクリプションＵＥ（たとえば、警察、緊急サービス、公共サービス、ネットワーク事業者など）に割り当てられ得、ＵＥがそれのホームパブリックランドモバイルネットワーク（ＨＰＬＭＮ）中にあるときのみ適用され得る。ｅＮＢ１０５−ａは、一般にＡＣ０〜９に適用されるＡＣＢ情報（たとえば、禁止レートおよびアクセス制御の平均持続時間）を送信し得る。ｅＮＢ１０５−ａはまた、ＡＣ１１〜１５中のＵＥがＡＣＢを適用するかどうかを示すアクセス制御を送信し得る。ｅＮＢ１０５−ａは、異なるタイプのアクセス（たとえば、緊急呼、モバイル発信シグナリング、モバイル発信データなど）のための別個のＡＣＢ制御を送信し得る。したがって、アクセス制御の平均持続時間および禁止レートなど、アクセス制御は、アクセス試行の各タイプ（たとえば、緊急呼、モバイル発信データ、モバイル発信シグナリング）のためにｅＮＢ１０５−ａによってブロードキャストされ得る。ＡＣＢベースのアクセス制御は、アクセスリソース上のいくつかのタイプの輻輳を緩和することができるが、たいていのＵＥは、同じアクセスクラスグループ（たとえば、ＡＣ０〜９）内にあり、ＡＣ禁止についての異なるタイプの通信のためのアクセス制御は、粗い区別（たとえば、モバイル発信シグナリング対モバイル発信データなど）を与えるにすぎない。したがって、ＡＣ禁止は、同じＡＣおよびアクセスタイプのＵＥのためにアクセスに優先度を付けることが可能でないことがある。
【００４２】
[0052]データ通信のためのアプリケーション固有の輻輳制御（ＡＣＤＣ）は、ランダムアクセスのためのアプリケーションカテゴリー固有アクセス制御を使用することによって、よりきめ細かいアクセス制御を与えることを試みる。ＡＣＢは、ＵＥ１１５からのアクセス試行の目的にかかわらず、すべての通常のＵＥ１１５（たとえば、ＡＣ０〜９）に対して等しく適用されるが、ＡＣＤＣは、重要性のカテゴリーにおいてアプリケーションをグループ化し、最初により重要でないカテゴリーにアクセス制御を適用し、より重要なアプリケーションを、輻輳のレベルがそれらも影響を及ぼされるにちがいないほどひどくなるまで、そしてそのようなほどひどくない限り、アクセスの拒否または延期から免れさせる。アプリケーションカテゴリーは、同様のネットワーク優先度をもつアプリケーションをグループ化し得る。場合によっては、アプリケーションカテゴリーは固有の階層を含んでいることがあり、ここで、各後続のカテゴリーは、前のものよりも低い優先度を付けられる。たとえば、Ｎ個のカテゴリーがある場合、カテゴリー１は最も優先度の高いカテゴリーであり得、カテゴリーＮは最も優先度の低いカテゴリーであり得る。アクセス制御は各カテゴリーについて示され得る。したがって、ネットワークによって高優先度と考えられるアプリケーションは、より優先度の低いカテゴリーに属するアプリケーションよりも高い開始見込みを有し得る。たとえば、音声呼は、カレンダーアプリケーションよりも高優先度と考えられ得る。時々、アプリケーションは、ＵＥ１１５がアクティベーション時に初めて使用される時間までにすでにカテゴリー分類されている。場合によっては、エンドユーザによってその後ダウンロードされるアプリケーションは、最も優先度の低いアプリケーションカテゴリー（たとえば、カテゴリーＮ）の一部であると自動的に考えられる。アプリケーションカテゴリーはさらに、周期的に、または促されたときに、ネットワークによって決定され得る。ＡＣＢと同様に、ＡＣＤＣは、ランダムアクセスリソース（たとえば、ＰＲＡＣＨ）上の輻輳に対処するために採用される。
【００４３】
[0053]ＵＥが、より少ない、より長いアクティブセッション（たとえば、音声呼など）の使用モデルから、より多数のアプリケーションが間欠的にデータ転送を実行すること（たとえば、メッセージング、ソーシャルネットワーキング、ロケーションアウェアアプリケーション、モバイル支払いなど）に遷移したとき、状態遷移はシステムオーバーヘッドの増加を生じる。過大な状態遷移シグナリングの悪影響をなくすことの１つの方法は、ＵＥ１１５がより長い時間期間の間接続状態のままであることである。しかしながら、これは、ＡＣＤＣ制御が適用されない接続状態にある多数のＵＥ１１５があり得るので、ＡＣＤＣの有効性を低減し得る。これは、接続状態にある多数のＵＥ１１５が同様の時間においてｅＮＢ１０５とデータを交換することを試みる状況を生じ得る。ランダムアクセスリソースをオーバーロードするというよりむしろ、データを交換しようとするこれらの試み（たとえば、制御またはデータリソースについての要求）は、非常に高い全体的トラフィック負荷を生じ得る。ｅＮＢ１０５は、制御またはデータリソースについての要求を制限することによって、全体的トラフィックを低減することを望み得る。したがって、ＵＥ１１５がアイドルモードにあるときに通常適用可能なアクセス制御を、ＵＥ１１５がアプリケーションを開始しようとしているが接続状態にある状況まで拡張することが提案されてきた。接続状態ＵＥへのアクセス制御の拡張は、モバイル発信通信の防止（ＰＭＯＣ）と呼ばれ得る。しかしながら、ＵＥサービス要求（たとえば、ランダムアクセスまたはデータリソース要求）の影響は、ＵＥ接続状態に依存し得る。
【００４４】
[0054]ｅＮＢ１０５およびＵＥ１１５など、システム１００または２００の構成要素は、ジョイント制御信号を使用するランダムアクセスおよびトラフィック進入についてのアプリケーションカテゴリーレベルアクセス制御のために構成され得る。ジョイント制御信号は、アプリケーションカテゴリーアクセス制御、ならびにアクセス制御がそれについて適用される接続状態（たとえば、アイドル状態、接続状態など）を示し得る適用可能性の指示を含み得る。追加または代替として、適用可能性の指示は、アクセス制御の原因（たとえば、ＰＲＡＣＨオーバーロード、ｅＮＢ１０５上の過大なトラフィックなど）を示し得る。リソースは、接続状態、アイドル状態、またはその両方のいずれかにあるＵＥのためにアプリケーションカテゴリーアクセス制御の単一のセットを使用し、適用可能性の指示を介してアクセス制御の適用を制御することによって温存され得る。ジョイントアクセス制御は、ＳＩＢなど、信号２１０を使用してＵＥに送信され得る。
【００４５】
[0055]適用可能性の指示は、すべてのアプリケーションカテゴリーアクセス制御、アプリケーションカテゴリーアクセス制御のグループに適用され得るか、または各アプリケーションカテゴリーアクセス制御についての適用可能性の別個の指示があり得る。アプリケーションカテゴリーアクセス制御は、禁止レートおよびアクセス制御の平均持続時間を含み得る。禁止レートは、アプリケーションが開始される確率に影響を及ぼす値であり得る。禁止レートは２進数であり得るか（たとえば、可能または禁止を示す）、またはそれは、開始を可能にすることと開始を禁止することとの間にある開始の確率にリンクされた多数の異なる値を有し得る。アプリケーションが開始することを可能にされない場合、それは禁止され得るか、またはそれは延期され得る。アプリケーションが延期される場合、それは、アクセス制御に含まれるアクセス制御の平均持続時間に少なくとも部分的に基づいて決定され得る禁止時間期間の間延期され得る。
【００４６】
[0056]次に図３を参照すると、本開示の様々な態様による、ジョイント制御信号を使用するアクセス制御を示すコールフロー図３００が示されている。図３に、いくつかのＵＥ１１５とｅＮＢ１０５−ｂとの間の通信を示す。場合によっては、図示されているＵＥ１１５の各々は、コールフロー図３００に示されている通信より前にアイドル状態または接続状態にあり得る。
【００４７】
[0057]ｅＮＢ１０５−ｂは、ブロック３０５−ａにおいて、ｅＮＢ１０５−ｂによってサポートされるキャリアのためのアクセス制御を決定し得る。ｅＮＢ１０５−ｂは、現在の負荷、利用可能なリソース、および／または現在のアクセス要求など、いくつかのファクタに基づいてアクセス制御を決定し得る。アクセス制御は複数のアプリケーションカテゴリーを含み得る。ブロック３０５−ａにおいてアクセス制御を決定する間、ｅＮＢ１０５−ｂは、さらに、適用可能性の指示を決定し得る。アクセス制御は、アプリケーションカテゴリーについての禁止レートおよび／またはアクセス制御の平均持続時間を含み得る。禁止レートは、アプリケーションが開始される確率に影響を及ぼす値であり得る。場合によっては、適用可能性の指示はアクセス制御の一部と考えられる。適用可能性の指示はまた、アクセス制御とは別に送信され得る。一緒に送信されるのか別に送信されるのかにかかわらず、アクセス制御の組合せならびに適用可能性の指示は、ジョイント制御信号と呼ばれることがある。
【００４８】
[0058]アクセス制御がブロック３０５−ａにおいてｅＮＢ１０５−ｂによって決定されるときに、ｅＮＢ１０５−ｂによってサポートされるキャリアのアクセスリソースは比較的低い負荷を有し得る。したがって、ｅＮＢ１０５−ｂは、アクセス制御がアクセス要求（たとえば、ランダムアクセスプロシージャなど）のために必要とされないと決定し得る。さらに、ｅＮＢ１０５−ｂにおける全体的トラフィック負荷は管理可能であるか、または、ｅＮＢ１０５−ｂが、アクセス制御が接続状態ＵＥからのアプリケーションデータのために必要とされないと決定し得るほど、十分低いレベルにあり得る。
【００４９】
[0059]図４Ａは、ブロック３０５−ａにおいて生成されるアクセス制御を示し得る。図４Ａに示されているように、Ｎ個のアプリケーションカテゴリーがあり得、ここで、Ｎは、限定はしないが、８、１２、または１６など、任意の好適な数であり得る。場合によっては、Ｎ個のアプリケーションカテゴリーの各々は、それに関連付けられた禁止レート４１０−ａ、４２０−ａ、４３０−ａ、および４４０−ａを有する。図４Ａに、比較的オープンなアクセスをもつ状況を示す。図４Ａでは、アプリケーションカテゴリーは、アプリケーションを、開始する可能性が高い状態にする、低禁止レート４１０−ａ、４２０−ａ、４３０−ａ、および４４０−ａを有する。非ゼロ（non-zero）として示されているが、アプリケーションカテゴリーは、ゼロの禁止レートなど、禁止レートを有し、そのアプリケーションカテゴリーに属するすべてのアプリケーションの開始についてオープンアクセスを可能にし得る。図４Ａは、ｅＮＢ１０５−ｂが、利用可能なアクセスリソース（たとえば、ＰＲＡＣＨリソースなど）を有し、最も重大なアプリケーションカテゴリーのためにリソースを温存するためにアクセス要求を禁止することに関与していない状況を示し得る。さらに、図４Ａは、ｅＮＢ１０５−ｂが利用可能なデータリソースを有し、アプリケーションがｅＮＢ１０５−ｂとデータを交換することを禁止するかまたは遅延させることに関与していない状況を示し得る。
【００５０】
[0060]ｅＮＢ１０５−ｂは、ジョイント制御信号３１０−ａ中でアクセス制御を送信し得る。たとえば、ｅＮＢ１０５−ｂは、ＳＩＢブロックなど、ブロードキャスト送信においてアクセス制御を送信し得る。ジョイント制御信号３１０−ａは、ｅＮＢ１０５−ｂのカバレージエリア内のすべてのＵＥ１１５など、多くのＵＥ１１５によって受信および評価され得る。
【００５１】
[0061]ブロック３０５−ｂにおいて、多数のアクセス要求３２０（たとえば、ＲＡＣＨ要求）または送信リソースについての要求３２０（たとえば、スケジューリング要求（ＳＲ））が、ｅＮＢ１０５−ｂに、リソース上のオーバーロードを低減するためにアプリケーションカテゴリーアクセス制御が課せられるべきであると決定させ得る。たとえば、多数のＵＥ１１５がアクセスを要求すること３２０は、ｅＮＢ１０５−ｂのためのアクセスリソース上の輻輳を引き起こし得る。他の場合には、ｅＮＢ１０５−ｂは、高い全体的トラフィック負荷を有し得、ＵＥ１１５の追加のアプリケーションのためのリソースをスケジュールするための低減された能力を有し得る。ｅＮＢ１０５−ｂは、たとえば、アクセス要求の増加した数、全体的トラフィック負荷、および／または限られた利用可能なリソースに基づいて、ブロック３０５−ｂにおいて新しいアクセス制御を決定し得る。ブロック３０５−ｂにおいて決定されたアクセス制御は、ブロック３０５−ａにおいて決定されたものよりも一層アプリケーション開始を制限し得る。
【００５２】
[0062]場合によっては、リソース輻輳のタイプは、時間とともに変動し得る。たとえば、イベント３１５（たとえば、自然災害、事故など）が起こり得る。最初に、過大なアクセス要求衝突を生じ得る、警報装置、リモート動きセンサー、および他の種類のマシンタイプ通信（ＭＴＣ）デバイスからのアクセス試行の急増があり得る。ｅＮＢ１０５−ｂは、アイドル状態にあるＵＥのためにアクセス制御が適用可能であることをＵＥ１１５に示す適用可能性の指示を決定し得る。そうすることによって、ｅＮＢ１０５−ｂは、アクセスリソース輻輳の原因または潜在的原因になり得るアクセス要求のうちのいくつかに直接対処することが可能である。アイドル状態にあるＵＥ１１５のためのアクセス制御が実施されると、アクセス要求は分散し、アクセスリソース上の輻輳は減少し得る。
【００５３】
[0063]その後、影響を受けたエリア中に存在する人々は、イベント３１５の直後に反応し始め、愛する人に電話をかけるかまたは電子メールを送る、現場から画像またはビデオクリップをアップロードする、ウェブにアクセスすることによって現在の状況を調べることを試みるなどし得る。イベント３１５の影響に対処することを担当する、第１の反応者の通信の集中がそれらに加わる。その結果、全体的トラフィックは上昇し得、制御またはデータリソース（たとえば、ＰＤＣＣＨ、ＰＤＳＣＨ、ＰＵＣＣＨ、ＰＵＳＣＨなど）の輻輳が起こり得るが、物理的ランダムアクセスリソースは、現在、比較的非過密であり得る。
【００５４】
[0064]接続状態にあるＵＥは追加のアプリケーションを開始することを試みることがあり、それは、概して新しいアプリケーションが開始されると追加のリソースを必要とするので、ｅＮＢ１０５−ｂは、接続状態にあるＵＥのためにアクセス制御が適用可能であることをＵＥ１１５に示す適用可能性の指示を決定し得る。接続状態にあるＵＥがアクセス制御の対象であることを示し、これにより、接続状態にあるＵＥ上のいくつかのアプリケーションの開始を防ぐことによって、ｅＮＢ１０５−ｂは全体的トラフィック負荷を減少させ得る。
【００５５】
[0065]図３は、アイドル状態にあるＵＥ、接続状態にあるＵＥ、またはその両方にアプリケーションカテゴリーアクセス制御を適用する更新されたアクセス制御がブロック３０５−ｂにおいて生成されることを示す。図４Ｂは、ブロック３０５−ｂにおいて生成されるアクセス制御を示し得る。図４Ｂに示されているように、Ｎ個のアプリケーションカテゴリーのうちの多く、特に下位にランク付けされたアプリケーションカテゴリーは、図４Ａ中の同じカテゴリーの禁止レート４１０−ａ、４２０−ａ、４３０−ａ、および４４０−ａと比較して、それに関連付けられたより高い禁止レート４１０−ｂ、４２０−ｂ、４３０−ｂ、および４４０−ｂを有し得る。高禁止レートは、対応するカテゴリーからのアプリケーション開始が拒否または延期される見込みが高いことを意味する。これはアクセス要求の数を減少させるか、またはアクセス要求を遅延させ、オーバーロードになることをｅＮＢ１０５−ｂが回避するのを助け得る。場合によっては、高禁止レートは、ｅＮＢ１０５−ｂと交換されるアプリケーションデータの量を制限または低減することによって、全体的トラフィック負荷を制限または低減し得る。場合によっては、アプリケーションカテゴリー間の禁止レートの変化が関係付けられ得る。代替的に、アプリケーションカテゴリーの禁止レートは互いから独立して変化し得る。たとえば、下位にランク付けされたアプリケーションカテゴリーは、より積極的なアクセス制御を課され得るが、上位にランク付けされたアプリケーションカテゴリーは、禁止レートが増加させられるときに最小限に影響を及ぼされ得る。
【００５６】
[0066]場合によっては、ｅＮＢ１０５−ｂは、イベントが起こり３１５、多数のサービス要求（たとえば、アクセス要求および／またはリソース要求）を受けるより前にサービス問題が予想され得るという指示３２３に基づいて、新しいアクセス制御を決定し得る。指示３２３は、たとえば、緊急警報システムからのものであり得る。新しいアクセス制御を先制して決定することによって、ｅＮＢ１０５−ｂは、多すぎるアクセス要求または多すぎる全体的トラフィックを受信することに関連する問題を回避し得る。
【００５７】
[0067]ｅＮＢ１０５−ｂは、別のジョイント制御信号３１０−ｂ中で、更新されたアクセス制御、および適用可能性の指示を送信し得る。たとえば、ｅＮＢ１０５−ｂは、ブロードキャスト送信（たとえば、ＳＩＢなど）においてジョイント制御信号を送信し得る。
【００５８】
[0068]ＵＥ１１５は、ブロック３２５においてアプリケーションを開始するという意図を決定し得る。場合によっては、ブロック３２５におけるアプリケーションを開始するという意図は、アプリケーションをローンチすることを選択することなど、ユーザ入力であり得る。ブロック３２５における開始するという意図は、タイマーまたは別のアプリケーションによってさらに促され得る。場合によっては、ブロック３２５における開始するという意図は、データ通信がそれについてすでに最近行われたアプリケーション（たとえば、オープンまたはアクティブアプリケーションなど）に関連付けられ得るが、さらなるデータ通信を開始することを試みている。アプリケーション開始試行がブロック３２５において行われるとき、ＵＥ１１５は、ブロック３３０において、アクセス制御が適用可能であるかどうかを決定し得る。ブロック３３０において、アクセス制御が適用可能であるかどうかを決定することは、適用可能性の指示をチェックすることを含み得る。アクセス制御がＵＥの現在状態に適用されないことを適用可能性の指示が示すとＵＥ１１５が決定した場合（図示せず）、ＵＥは、ＵＥがアイドル状態にある場合には、ｅＮＢ１０５−ｂとの接続を確立することを試みるために、ＲＡＣＨ要求など、アクセス要求３２０を実行し、またはＵＥが接続状態にある場合には、ｅＮＢ１０５−ｂとアプリケーションデータを交換するためのリソースについての要求３２０を実行し得る。
【００５９】
[0069]アクセス制御がＵＥ１１５の現在状態のために適用可能であることを適用可能性の指示が示す場合、アクセス制御は適用可能であると決定され、ＵＥ１１５はアクセス制御を評価し続けることになる。ＵＥ１１５−ｃおよびＵＥ１１５−ｄなど、アクセス制御がそれらの現在状態に適用可能であると決定したＵＥは、ブロック３３５において、アプリケーションの開始を可能にすべきか禁止すべきかを決定し得る。図３に示されているように、ＵＥ１１５−ｃは、ブロック３３５−ａにおいて、アプリケーションの開始が可能にされるべきであると決定する。アプリケーションが開始することを可能にすると、ＵＥ１１５−ｃは、アクセスプロシージャ（たとえば、ＲＡＣＨなど）を実行するか、またはアプリケーションのためのリソースを要求し得る（たとえば、スケジューリング要求（ＳＲ）など）。たとえば、ＵＥ１１５−ｃは、アイドル状態にあり得、ｅＮＢ１０５−ｂにアクセス要求３２０−ａを送信し得る。他の例では、ＵＥ１１５−ｃは、接続状態にあり得、アプリケーション開始の一部としてリソースについての要求３２０−ａを送り得る。
【００６０】
[0070]ブロック３３５において、アプリケーションの開始を可能にすべきか禁止すべきかを決定することは、ジョイント制御信号のアクセス制御に基づき得る。場合によっては、ＵＥ１１５はランダム禁止数を決定し得る。このランダム禁止数は、禁止レート４１０−ｂなど、開始されたアプリケーションのカテゴリーについての禁止レートと比較され得る。場合によっては、ＵＥ１１５−ｃによって決定されたランダム禁止数は、アプリケーションカテゴリーについての禁止レート４１０−ｂよりも小さい。ランダム禁止数が禁止レート４１０−ｂよりも小さい場合、ＵＥ１１５−ｃは、アプリケーションを開始することを可能にされ、ｅＮＢ１０５−ｂにアクセス要求またはアプリケーションデータ３２０−ａを送信する。場合によっては、ＵＥ１１５−ｃは、それが開始しつつあるアプリケーションがカテゴリー１などからの高優先度アプリケーションであるので、アプリケーションを開始することを可能にされる。
【００６１】
[0071]対照的に、ＵＥ１１５−ｄは、ブロック３３５−ｂにおいて、アプリケーションの開始が禁止または延期されるべきであると決定する。場合によっては、アプリケーションは、開始することを試みるアプリケーションが、低い優先度をもつアプリケーションカテゴリーに属するので、開始することを禁止または延期された。場合によっては、ＵＥ１１５−ｄによって決定されたランダム禁止レートが、アプリケーションカテゴリーについての禁止レート４３０−ｂを超え、アプリケーションの開始を延期した。場合によっては、アプリケーションは開始を禁止される。他の場合には、延期された開始３４５が実行される。延期された開始３４５は、禁止時間期間３４０が経過した後、ブロック３３５においてアクセス制御を再評価することなどによって、アプリケーションを開始することを試みることを含み得る。場合によっては、延期された開始３４５は、禁止時間期間３４０の経過の後、ブロック３２５におけるアプリケーションを開始しようとする試みを待つ。禁止時間期間３４０は、ジョイント制御信号に含まれるアクセス制御の平均持続時間に基づいて決定され得る。場合によっては、禁止時間期間３４０の経過の後、ＵＥ１１５は、ブロック３３５において、アプリケーションの開始を可能にすべきか禁止すべきかを決定することに戻る。延期された開始を実行した後、ＵＥ１１５−ｄは、ブロック３３５−ｃにおいてアプリケーションが開始することを可能にされたと決定し、これにより、ＵＥ１１５−ｄに、アイドル状態の場合または接続状態の場合、それぞれ、ｅＮＢ１０５−ｂにアクセス要求またはスケジューリング要求３２０−ｂを送るように促し得る。
【００６２】
[0072]図５Ａ、図５Ｂ、および図５Ｃに、本開示の様々な態様による、アクセス制御のための例示的なジョイント制御信号の図５００−ａ、図５００−ｂ、および図５００−ｃを示す。図５Ａ、図５Ｂ、および図５Ｃは、ジョイント制御信号内のアクセス制御および適用可能性の指示を示す。ジョイント制御信号５０５は、アプリケーションカテゴリーについてのアクセス制御５１０、ならびにＵＥ接続状態への適用可能性の指示５１５を含み得る。ジョイント制御信号５０５は、図３を参照しながら説明したジョイント制御信号３１０の１つまたは複数の態様の一例であり得る。適用可能性の指示５１５、アクセス制御５１０、およびジョイント制御信号５０５は、すべて、それらが実装されるシステムに応じて、長さおよび／または構造が変動し得る。
【００６３】
[0073]場合によっては、適用可能性の指示５１５は、アイドル状態へのアクセス制御の適用可能性を示す１ビット、ならびに接続状態へのアクセス制御の適用可能性を示す１ビットを含み得る。追加または代替として、適用可能性の指示５１５は、アクセスを制御することの主原因が、ランダムアクセスリソース（たとえば、ＰＲＡＣＨ）のオーバーロードによるのか、ｅＮＢ１０５において起こった過大な全体的トラフィックの量によるのか、その両方によるのかを示すビットを含み得る。場合によっては、適用可能性の指示５１５は、新たに開始するアプリケーションのみに適用可能である。現在アクティブなアプリケーションは、アクセス制御がネガティブなユーザエクスペリエンスを生じ得るので、たとえば、現在の呼を切断することは、呼の開始を禁止することよりも影響力が大きいことがあるので、アクセス制御によって影響を受けないことがある。さらに、いくつかの地域では、進行中のアプリケーションを強制的に中断することによってリソースを解放することは、規制機関などによって可能にされない。いくつかの例では、適用可能性の指示５１５は、アクセス制御５１０が、新たに開始されたアプリケーションまたはアクティブアプリケーション、あるいはその両方に適用されることを示す１つまたは複数のビットを含み得る。たとえば、適用可能性の指示５１５は、アクセス制御が、アクティブアプリケーションならびに新たに開始されたアプリケーションに適用されることを示すビットを含み得る。これらの事例では、すでにアクティブなアプリケーションさえ、アクセス制御５１０に従って、リソースについての新しい要求を開始すること（たとえば、ＳＲを送ることなど）を禁止され得る。アクセス制御５１０は各アプリケーションカテゴリーについてシングルビットであり得る。時々、アクセス制御５１０は、各アプリケーションカテゴリーについてより多くのビット（たとえば、４ビット、８ビット、１６ビットなど）であり得る。
【００６４】
[0074]図５Ａに、本開示の様々な態様による、例示的なジョイント制御信号５０５−ａの図を示す。ジョイント制御信号５０５−ａは、アクセス制御５１０−ａならびに適用可能性の指示５１５−ａを含む。図示の例では、複数のアクセス制御５１０−ａがジョイント制御信号５０５−ａに含まれる。さらに、ジョイント制御信号５０５−ａは、アクセス制御５１０−ａの各々のために適用される適用可能性の単一の指示を含む。場合によっては、適用可能性の指示は、接続状態にあるＵＥへの適用可能性を示す部分（Ｃ）ならびに、アイドル状態にあるＵＥへの適用可能性を示す部分（Ｉ）を含む。ジョイント制御信号５０５−ａは、アプリケーションカテゴリーの数に一致する数のアクセス制御５１０−ａを含み得る。したがって、各アプリケーションカテゴリーについてのアクセス制御５１０−ａがあり得る。適用可能性の指示５１５−ａはジョイント制御信号５０５−ａの終わりに示されているが、適用可能性の指示５１５−ａは、アクセス制御５１０−ａの前に、最初のアクセス制御５１０−ａの後であるが最後のアクセス制御５１０−ａの前に、あるいは同じまたは異なる情報ブロック（たとえば、ＳＩＢなど）の独立フィールド中に位置し得ることを諒解されたい。
【００６５】
[0075]図５Ｂに、本開示の様々な態様による、例示的なジョイント制御信号５０５−ｂの図を示す。ジョイント制御信号５０５−ｂは、アクセス制御５１０−ｂならびに適用可能性の指示５１５−ｂを含み得る。適用可能性の各指示５１５−ｂは、１つのアクセス制御５１０−ｂが、接続状態ＵＥに適用されるのか、アイドル状態ＵＥに適用されるのか、その両方に適用されるのかの指示を搬送し得る。場合によっては、同数のアクセス制御５１０−ｂおよび適用可能性の指示５１５−ｂがある。適用可能性の指示５１５−ｂは、それらが適用されるアクセス制御５１０−ｂの近くに、例えばそれに隣接して、配置され得る。たとえば、アクセス制御５１０−ｂについての適用可能性の指示５１５−ｂは、アクセス制御５１０−ｂの直前または直後に配置され得る。場合によっては、アクセス制御５１０−ｂは、アクセス制御５１０−ｂのグループ化に先行または後続する適用可能性の指示５１５−ｂの連続グループと連続して一緒にグループ化される。
【００６６】
[0076]図５Ｃに、本開示の様々な態様による、例示的なジョイント制御信号５０５−ｃの図を示す。ジョイント制御信号５０５−ｃは、アクセス制御５１０−ｃならびに適用可能性の指示５１５−ｃを含み得る。場合によっては、適用可能性の指示５１５−ｃがあるよりも多くのアクセス制御５１０−ｃがあり、複数のアクセス制御５１０−ｃがアクセス制御グループ５２０を形成し得る。各アクセス制御グループ５２０は、グループ５２０の各アクセス制御５１０−ｃに適用され得る適用可能性の指示５１５−ｃを有し得る。異なるアクセス制御グループ５２０は、異なる数のアプリケーションカテゴリーを有し得る。アクセス制御グループ５２０は、連続的または不連続な形でジョイント制御信号５０５−ｃ内に構築され得る。たとえば、適用可能性の指示５１５−ｃは、それらが適用されるアクセス制御５１０−ｃに直接先行または後続し得る。場合によっては、アクセス制御５１０−ｃのすべては、適用可能性の指示５１５−ｃを含む連続ブロックがそれに先行または後続する、連続ブロック中にある。たとえば、第１の適用可能性の指示５１５−ｃは最初のＸ個のアクセス制御５１０−ｃに関連付けられ、第２の適用可能性の指示５１５−ｃは次のＹ個のアクセス制御５１０−ｃに関連付けられ、以下同様であることが知られていることがある（ここで、ＸおよびＹは、アクセス制御５１０−ｃの総数Ｎよりも小さい数である）。ＸはＹに等しいことがある。場合によっては、ＸはＹに等しくない。
【００６７】
[0077]図５Ｄおよび図５Ｅに、本開示の様々な態様による、例示的なアクセス制御の図５００−ｄおよび図５００−ｅを示す。図５Ｄおよび図５Ｅは、禁止レート５２５およびアクセス制御の平均持続時間５３０を含むアクセス制御を示す。禁止レート５２５は、図４Ａおよび／または図４Ｂを参照しながら説明した禁止レート４１０、４２０、４３０、および／または４４０の１つまたは複数の態様の一例であり得る。禁止レート５２５および／またはアクセス制御の平均持続時間５３０は、アクセス制御の単一のカテゴリー、またはカテゴリーのすべてなど、アクセス制御の複数のカテゴリーに適用可能であり得る。禁止レート５２５および／またはアクセス制御の平均持続時間５３０は、それらが実装されるシステムに応じて、長さおよび／または構造が変動し得る。場合によっては、禁止レート５２５および／またはアクセス制御の平均持続時間５３０は、複数のビット（たとえば、２ビット、３ビット、４ビット、５ビットなど）であり得る。一例では、禁止レート５２５は長さが５ビットであり、アクセス制御の平均持続時間５３０は長さが３ビットである。
【００６８】
[0078]図５Ｄに、本開示の様々な態様による、例示的なアクセス制御の図を示す。アクセス制御５１０は、禁止レート５２５および／またはアクセス制御の平均持続時間５３０を含み得る。場合によっては、アプリケーションカテゴリーアクセス制御５１０は、その各々がアプリケーションカテゴリーに適用可能であり得る、単一の禁止レート５２５およびアクセス制御の平均持続時間５３０を含み得る。
【００６９】
[0079]図５Ｅに、本開示の様々な態様による、例示的なアクセス制御の図を示す。アクセス制御５１０は、禁止レート５２５および／またはアクセス制御の平均持続時間５３０を含み得る。場合によっては、アクセス制御５１０は複数のアプリケーションカテゴリーに適用可能であり得る。たとえば、アクセス制御５１０は、その各々がアプリケーションカテゴリーについての禁止レートを示し得る、複数の禁止レート５２５を含み得る。アクセス制御５１０は、アクセス制御５１０の複数の禁止レート５２５が適用されるアプリケーションカテゴリーなど、複数のアプリケーションカテゴリーに適用可能であり得るアクセス制御の平均持続時間５３０をさらに含み得る。
【００７０】
[0080]図６は、本開示の様々な態様による、ジョイント制御信号を使用するアクセス制御を実行し得る例示的なデバイス６００を示すブロック図である。デバイス６００は、たとえば、図１、図２、および／または図３を参照しながら説明したｅＮＢ１０５の１つまたは複数の態様を示し得る。場合によっては、デバイス６００はプロセッサである。デバイス６００は、受信機モジュール６１０、システム情報モジュール６３０、および／または送信機モジュール６２０を含み得る。これらの構成要素の各々は互いと通信していることがある。場合によっては、受信機モジュール６１０および送信機モジュール６２０は、単一の、または複数のトランシーバモジュールである。受信機モジュール６１０および／または送信機モジュール６２０は集積プロセッサを含み得、それらはまた、発振器および／またはタイマーを含み得る。受信機モジュール６１０は、ＵＥ１１５および／または他のｅＮＢ１０５から信号を受信し得る。受信機モジュール６１０は、アクセス要求またはスケジューリング要求３２０を受信すること、および／あるいはアプリケーションデータを受信することを含む、図３において上記で説明したシステムおよびコールフローの動作、または動作の一部を実行し得る。受信機モジュール６１０は、遂行されていないスケジューリング要求３２０によって、ｅＮＢ１０５のアップリンクトラフィック負荷に気づいていることがある。送信機モジュール６２０は、ＵＥ１１５および／または他のｅＮＢ１０５に信号を送信し得る。送信機モジュール６２０は、ジョイント制御信号３１０を送信することおよび／またはアプリケーションデータを送信することを含む、図３において上記で説明したシステムおよびコールフローの動作、または動作の一部を実行し得る。送信機モジュール６２０は、ｅＮＢ１０５の送信キュー中の保留中の送信のボリュームによって、ｅＮＢ１０５のダウンリンクトラフィック負荷に気づいていることがある。
【００７１】
[0081]デバイス６００はシステム情報モジュール６３０を含み得る。システム情報モジュール６３０は集積プロセッサを含み得る。システム情報モジュール６３０は、カテゴリーモジュール６４０と、アクセス制御モジュール６５０と、適用可能性の指示モジュール（indication of applicability module）６６０とを含み得る。カテゴリーモジュール６４０は、アクセス制御のためのアプリケーションカテゴリーを管理し得る。たとえば、カテゴリーモジュール６４０は、事前構成された、静的な、または半静的なカテゴリーを追跡し得る。場合によっては、カテゴリーモジュール６４０は、カテゴリーの数、およびカテゴリーに属し得るアプリケーションを動的にまたは周期的に決定する。
【００７２】
[0082]アクセス制御モジュール６５０は、ブロック３０５によって示されたアクセス制御のためのアプリケーションカテゴリーアクセス制御（たとえば、禁止レート、平均持続時間など）を決定することなど、図３において上記で説明したシステムおよびコールフローの動作、または動作の一部を実行し得る。適用可能性の指示モジュール６６０は、ブロック３０５によって示されたアクセス制御のための異なる接続状態（たとえば、アイドル状態、接続状態など）にあるＵＥへのアプリケーション固有アクセス制御の適用可能性の指示を決定することなど、図３において上記で説明したシステムおよびコールフローの動作、または動作の一部を実行し得る。システム情報モジュール６３０は、アクセス制御モジュール６５０および適用可能性の指示モジュール６６０によって決定されたアプリケーションカテゴリーアクセス制御および適用可能性の指示を含むジョイント制御信号を送信し得る。いくつかの例では、システム情報モジュール６３０によって送信されたジョイント制御信号、アクセス制御、および適用可能性の指示は、それぞれ、図５Ａ〜図５Ｃを参照しながら説明したジョイント制御信号５０５、アクセス制御５１０、および適用可能性の指示５１５の１つまたは複数の態様の例である。
【００７３】
[0083]いくつかの例によれば、デバイス６００の構成要素は、適用可能な機能の一部または全部をハードウェアで実行するように適応された１つまたは複数のＡＳＩＣを用いて、個々にまたはまとめて実装される。他の例では、デバイス６００の機能は、１つまたは複数の処理ユニット（またはコア）によって、１つまたは複数の集積回路上で実行される。他の例では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用される。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７４】
[0084]図７は、本開示の様々な態様による、ジョイント制御信号を使用するアクセス制御を実行し得る例示的なデバイス７００を示すブロック図である。デバイス７００は、たとえば、図１、図２、および／または図３を参照しながら説明したＵＥ１１５の１つまたは複数の態様を示し得る。場合によっては、デバイス７００はプロセッサである。デバイス７００は、受信機モジュール７１０、アプリケーションアクセス制御モジュール７３０、および／または送信機モジュール７２０を含み得る。これらの構成要素の各々は互いと通信していることがある。場合によっては、受信機モジュール７１０および送信機モジュール７２０は、単一の、または複数のトランシーバモジュールである。受信機モジュール７１０および／または送信機モジュール７２０は集積プロセッサを含み得、それらはまた、発振器および／またはタイマーを含み得る。受信機モジュール７１０は、他のＵＥ１１５および／またはｅＮＢ１０５から信号を受信し得る。受信機モジュール６１０は、ジョイント制御信号３１０を受信することおよび／またはアプリケーションデータを交換することを含む、図３において上記で説明したシステムおよびコールフローの動作、または動作の一部を実行し得る。送信機モジュール７２０は、他のＵＥ１１５および／またはｅＮＢ１０５に信号を送信し得る。送信機モジュール７２０は、アクセス要求またはスケジューリング要求３２０を送信すること、および／あるいはアプリケーションデータを送信することを含む、図３において上記で説明したシステムおよびコールフローの動作、または動作の一部を実行し得る。
【００７５】
[0085]デバイス７００はアプリケーションアクセス制御モジュール７３０を含み得る。アプリケーションアクセス制御モジュール７３０は集積プロセッサを含み得る。アプリケーションアクセス制御モジュール７３０は、アプリケーション開始モジュール７４０、適用可能性モジュール７５０、および／またはアクセス制御モジュール７６０を含み得る。
【００７６】
[0086]アプリケーション開始モジュール７４０は、アプリケーションの開始３２５および／または延期されたアプリケーション開始３４５を決定することなど、図３において上記で説明したシステムおよびコールフローの動作、または動作の一部を実行し得る。適用可能性モジュール７５０は、アクセス制御適用可能性を決定すること３３０など、図３において上記で説明したシステムおよびコールフローの動作、または動作の一部を実行し得る。たとえば、アプリケーションアクセス制御モジュール７３０は、アプリケーションカテゴリーアクセス制御と、ＵＥ接続状態（たとえば、アイドル状態、接続状態など）へのアクセス制御の適用可能性の指示とを含む、ジョイント制御信号を受信し得る。いくつかの例では、アプリケーションアクセス制御モジュール７３０および適用可能性モジュール７５０によって受信および処理されたジョイント制御信号、アクセス制御、および適用可能性の指示は、それぞれ、図５Ａ〜図５Ｃを参照しながら説明したジョイント制御信号５０５、アクセス制御５１０、および適用可能性の指示５１５の１つまたは複数の態様の例である。アクセス制御モジュール７６０は、アプリケーションの開始を可能にすべきか禁止すべきかを決定すること３３５、禁止時間期間３４０を決定すること、および／または延期されたアプリケーション開始３４５など、図３において上記で説明したシステムおよびコールフローの動作、または動作の一部を実行し得る。
【００７７】
[0087]いくつかの例によれば、デバイス７００の構成要素は、適用可能な機能の一部または全部をハードウェアで実行するように適応された１つまたは複数のＡＳＩＣを用いて、個々にまたはまとめて実装される。他の例では、デバイス７００の機能は、１つまたは複数の処理ユニット（またはコア）によって、１つまたは複数の集積回路上で実行される。他の例では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用される。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７８】
[0088]図８は、本開示の様々な態様による、ジョイント制御信号を使用するアクセス制御のために構成されたモバイルデバイス１１５−ｅのブロック図８００である。モバイルデバイス１１５−ｅは、パーソナルコンピュータ（たとえば、ラップトップコンピュータ、ネットブックコンピュータ、タブレットコンピュータなど）、セルラー電話、ＰＤＡ、スマートフォン、デジタルビデオレコーダ（ＤＶＲ）、インターネットアプライアンス、ゲームコンソール、電子リーダーなど、様々な構成のいずれかを有し得る。モバイルデバイス１１５−ｅは、モバイル動作を可能にするために、小型バッテリーなどの内部電源（図示せず）を有し得る。場合によっては、モバイルデバイス１１５−ｅは、図１、図２、図３、および／または図７のモバイルデバイス１１５の一例であり得る。
【００７９】
[0089]モバイルデバイス１１５−ｅは、概して、通信を送信するための構成要素と通信を受信するための構成要素とを含む、双方向の音声およびデータ通信のための構成要素を含み得る。モバイルデバイス１１５−ｅは、（たとえば、１つまたは複数のバス８７５を介して）直接または間接的にそれぞれ互いと通信し得る、プロセッサモジュール８７０と、メモリ８８０と、送信機／変調器８１０と、受信機／復調器８１５と、アンテナ８３５とを含み得る。モバイルデバイス１１５−ｅは、送信機／変調器モジュール８１０および受信機／復調器モジュール８１５を介して複数のワイヤレス送信をコンカレントに送信および／または受信することが可能な複数のアンテナ８３５を含み得る。たとえば、モバイルデバイス１１５−ｅは、Ｘ個のアンテナ８３５と、Ｔ個の送信機／変調器モジュール８１０と、Ｒ個の受信機／復調器８１５とを有し得る。送信機／変調器モジュール８１０は、ｅＮＢ１０５にアンテナ８３５のうちの１つまたは複数を介して信号を送信するように構成され得る。送信機／変調器モジュール８１０は、パケットを変調し、変調されたパケットを送信のためにアンテナ８３５に与えるように構成されたモデムを含み得る。受信機／復調器８１５は、アンテナ８３５のうちの１つまたは複数から受信されたパケットを受信し、ＲＦ処理を実行し、復調するように構成され得る。いくつかの例では、モバイルデバイス１１５−ｅは、各アンテナ８３５のために１つの受信機／復調器８１５を有し得るが（すなわち、Ｒ＝Ｘ）、他の例では、ＲはＸよりも小さいまたは大きいことがある。送信機／変調器８１０および受信機／復調器８１５は、複数のＭＩＭＯレイヤおよび／またはコンポーネントキャリアを介して複数の基地局１０５とコンカレントに通信することが可能であり得る。
【００８０】
[0090]図８のアーキテクチャによれば、モバイルデバイス１１５−ｅはまた、アプリケーションアクセス制御モジュール７３０−ａを含み得る。例として、アプリケーションアクセス制御モジュール７３０−ａは、バス８７５を介してモバイルデバイス１１５−ｅの他の構成要素の一部または全部と通信しているモバイルデバイス１１５−ｅの構成要素であり得る。代替的に、アプリケーションアクセス制御モジュール７３０−ａの機能は、送信機／変調器８１０、受信機／復調器８１５の構成要素として、コンピュータプログラム製品として、および／またはプロセッサモジュール８７０の１つまたは複数のコントローラ要素として実装され得る。
【００８１】
[0091]メモリ８８０は、ランダムアクセスメモリ（ＲＡＭ）および読取り専用メモリ（ＲＯＭ）を含み得る。メモリ８８０は、実行されるとプロセッサモジュール８７０に本明細書で説明する様々な機能（たとえば、アプリケーションを開始すること、適用可能性を決定すること、アクセス制御を評価すること、アクセスを要求すること、アプリケーションデータを交換することなど）を実行させるように構成された命令を含んでいるコンピュータ可読、コンピュータ実行可能ソフトウェア／ファームウェアコード８８５を記憶し得る。代替的に、ソフトウェア／ファームウェアコード８８５は、プロセッサモジュール８７０によって直接的に実行可能でないことがあるが、（たとえば、コンパイルされ実行されたとき）コンピュータに本明細書で説明する機能を実行させるように構成され得る。
【００８２】
[0092]プロセッサモジュール８７０は、インテリジェントハードウェアデバイス、たとえば、中央処理ユニット（ＣＰＵ）、マイクロコントローラ、特定用途向け集積回路（ＡＳＩＣ）などを含み得る。モバイルデバイス１１５−ｅは、マイクロフォンを介してオーディオを受信し、そのオーディオを、受信したオーディオを表す（たとえば、長さ２０ｍｓ、長さ３０ｍｓなどの）パケットに変換し、そのオーディオパケットを送信機／変調器モジュール８１０に与え、ユーザが話しているかどうかの指示を与えるように構成された、音声エンコーダ（図示せず）を含み得る。
【００８３】
[0093]モバイルデバイス１１５−ｅは、図１、図２、図３、および／または図７のＵＥ１１５、あるいは図７のデバイス７００に関して上記で説明した態様を実装するように構成され得、簡潔のためにここでは繰り返さない場合がある。したがって、アプリケーションアクセス制御モジュール７３０−ａは、図７のアプリケーションアクセス制御モジュール７３０を参照しながら上記で説明したモジュールおよび機能を含み得る。追加または代替として、アプリケーションアクセス制御モジュール７３０−ａは、図１０を参照しながら説明した方法１０００および／または図１１を参照しながら説明した方法１１００を実行し得る。
【００８４】
[0094]図９に、本開示の様々な態様による、ジョイント制御信号を使用するアクセス制御のために構成され得る通信システム９００のブロック図を示す。このシステム９００は、図１、図２、または図３に示されたシステム１００、２００、または３００の態様の一例であり得る。システム９００は、ワイヤレス通信リンク１２５上でのＵＥ１１５との通信のために構成された基地局１０５−ｃを含む。基地局１０５−ｃは、１つまたは複数のコンポーネントキャリア上で通信することが可能であり得、通信リンク１２５のための複数のコンポーネントキャリアを使用してキャリアアグリゲーションを実行することが可能であり得る。基地局１０５−ｃは、たとえば、システム１００、２００、または３００に示されているようにｅＮＢ１０５であり得る。
【００８５】
[0095]場合によっては、基地局１０５−ｃは、１つまたは複数のワイヤードバックホールリンクを有し得る。基地局１０５−ｃは、たとえば、コアネットワーク１３０−ａへのワイヤードバックホールリンク（たとえば、Ｓ１インターフェースなど）を有するＬＴＥ  ｅＮＢ１０５であり得る。基地局１０５−ｃはまた、基地局間通信リンク（たとえば、Ｘ２インターフェースなど）を介して、基地局１０５−ｍおよび基地局１０５−ｎなど、他の基地局と通信し得る。基地局１０５の各々は、同じまたは異なるワイヤレス通信技術を使用してＵＥ１１５と通信し得る。場合によっては、基地局１０５ｃは、基地局通信モジュール９１５を利用して、１０５ｍおよび／または１０５ｎなど、他の基地局と通信し得る。いくつかの例では、基地局通信モジュール９１５は、基地局１０５のいくつかの間の通信を行うために、ＬＴＥ／ＬＴＥ−Ａワイヤレス通信ネットワーク技術内のＸ２インターフェースを与え得る。場合によっては、基地局１０５−ｃは、コアネットワーク１３０−ａを通して他の基地局と通信し得る。場合によっては、基地局１０５−ｃは、ネットワーク通信モジュール９６５を通してコアネットワーク１３０−ａと通信し得る。
【００８６】
[0096]基地局１０５−ｃのための構成要素は、図１、図２、および図３のｅＮＢ１０５ならびに図６のデバイス６００に関して上記で説明した態様を実装するように構成され得、簡潔のためにここでは繰り返さない場合がある。たとえば、基地局１０５−ｃは、図６のシステム情報モジュール６３０の一例であり得る、システム情報モジュール６３０−ａを含み得る。
【００８７】
[0097]基地局１０５−ｃは、アンテナ９４５と、トランシーバモジュール９５０と、メモリ９７０と、プロセッサモジュール９６０とを含み得、その各々は、（たとえば、バスシステム９８０上で）互いと直接または間接的に通信していることがある。トランシーバモジュール９５０は、アンテナ９４５を介して、マルチモードデバイスであり得るＵＥ１１５と双方向に通信するように構成され得る。トランシーバモジュール９５０（および／または基地局１０５−ｃの他の構成要素）はまた、アンテナ９４５を介して、他の基地局（図示せず）と双方向に通信するように構成され得る。トランシーバモジュール９５０は、パケットを変調し、変調されたパケットを送信のためにアンテナ９４５に与え、アンテナ９４５から受信されたパケットを復調するように構成されたモデムを含み得る。基地局１０５−ｃは、各々が１つまたは複数の関連するアンテナ９４５をもつ、複数のトランシーバモジュール９５０を含み得る。
【００８８】
[0098]メモリ９７０は、ランダムアクセスメモリ（ＲＡＭ）および読取り専用メモリ（ＲＯＭ）を含み得る。メモリ９７０はまた、実行されるとプロセッサモジュール９６０に本明細書で説明する様々な機能（たとえば、呼処理、データベース管理、キャリア負荷管理など）を実行させるように構成された命令を含んでいるコンピュータ可読、コンピュータ実行可能ソフトウェアコード９７５を記憶し得る。代替的に、ソフトウェア９７５は、プロセッサモジュール９６０によって直接的に実行可能でないことがあるが、たとえば、コンパイルされ実行されると、コンピュータに本明細書で説明する機能を実行させるように構成され得る。
【００８９】
[0099]プロセッサモジュール９６０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール９６０は、エンコーダ、キュー処理モジュール、ベースバンドプロセッサ、無線ヘッドコントローラ、デジタル信号プロセッサ（ＤＳＰ）など、様々な専用プロセッサを含み得る。
【００９０】
[0100]図９のアーキテクチャによれば、基地局１０５−ｃは通信管理モジュール９４０をさらに含み得る。通信管理モジュール９４０は他の基地局１０５との通信を管理し得る。通信管理モジュールは、他の基地局１０５と協働してＵＥ１１５との通信を制御するためのコントローラおよび／またはスケジューラを含み得る。たとえば、通信管理モジュール９４０は、ＵＥ１１５への送信のためのスケジューリング、ならびに／あるいはビームフォーミングおよび／またはジョイント送信など、様々な干渉緩和技法を実行し得る。
【００９１】
[0101]図１０は、本開示の様々な態様による、ジョイント制御信号を使用するアクセス制御のための方法１０００の一例を示すフローチャートである。明快のために、方法１０００について、図１、図２、図３、図７、または図８に示したＵＥ１１５のうちの１つを参照しながら以下で説明する。一実装形態では、図７または図８を参照しながら説明したアプリケーションアクセス制御モジュール７３０は、以下で説明する機能を実行するためにＵＥ１１５の機能要素を制御するためのコードの１つまたは複数のセットを実行し得る。
【００９２】
[0102]ブロック１０１０において、ＵＥ１１５は、複数のアプリケーションカテゴリーについてのアクセス制御と、少なくとも１つのＵＥ接続状態へのアプリケーションカテゴリー固有アクセス制御の適用可能性の少なくとも１つの指示とを備えるジョイント制御信号を受信する。たとえば、適用可能性の指示は、アイドル状態または接続状態、あるいはアイドル状態と接続状態の両方への１つまたは複数のアプリケーションカテゴリー固有アクセス制御の適用可能性を示し得る。いくつかの例では、ブロック１０１０における動作は、図７のアプリケーションアクセス制御モジュール７３０および／または図８のデバイス８００によって実行される。場合によっては、ブロック１０１０において受信されたジョイント制御信号、アクセス制御、および適用可能性の指示は、それぞれ、図５Ａ〜図５Ｃを参照しながら説明したジョイント制御信号５０５、アクセス制御５１０、および適用可能性の指示５１５の１つまたは複数の態様の例である。
【００９３】
[0103]ブロック１０２０において、ＵＥ１１５は、ワイヤレス通信ネットワーク上で通信動作を実行するための複数のアプリケーションカテゴリーのうちの少なくとも１つに属するアプリケーションを開始するという意図を決定する。いくつかの例では、ブロック１０２０における動作は、図７のアプリケーションアクセス制御モジュール７３０および／または図８のデバイス８００によって実行される。
【００９４】
[0104]ブロック１０３０において、ＵＥは、アクセス制御と、適用可能性の少なくとも１つの指示とに少なくとも部分的に基づいて、アプリケーションの開始を可能にすべきか禁止すべきかを決定する。いくつかの例では、ブロック１０３０における動作は、図７のアプリケーションアクセス制御モジュール７３０および／または図８のデバイス８００によって実行される。
【００９５】
[0105]図１１は、本開示の様々な態様による、ジョイント制御信号を使用するアクセス制御のための方法１１００の一例を示すフローチャートである。明快のために、方法１１００について、図１、図２、図３、または図８に示したＵＥ１１５のうちの１つを参照しながら以下で説明する。一実装形態では、図７または図８を参照しながら説明したアプリケーションアクセス制御モジュール７３０は、以下で説明する機能を実行するためにＵＥ１１５の機能要素を制御するためのコードの１つまたは複数のセットを実行し得る。
【００９６】
[0106]ブロック１１１０において、ＵＥ１１５は、複数のアプリケーションカテゴリーについてのアクセス制御と、少なくとも１つのＵＥ接続状態へのアプリケーションカテゴリー固有アクセス制御の適用可能性の少なくとも１つの指示とを備えるジョイント制御信号を受信する。たとえば、適用可能性の指示は、アイドル状態または接続状態、あるいはアイドル状態と接続状態の両方への１つまたは複数のアプリケーションカテゴリー固有アクセス制御の適用可能性を示し得る。場合によっては、ブロック１１１０における動作は、図７のアプリケーションアクセス制御モジュール７３０および／または図８のデバイス８００によって実行される。いくつかの例では、ブロック１１１０におけるジョイント制御信号、アクセス制御、および適用可能性の指示は、それぞれ、図５Ａ〜図５Ｃを参照しながら説明したジョイント制御信号５０５、アクセス制御５１０、および適用可能性の指示５１５の１つまたは複数の態様の例である。
【００９７】
[0107]ブロック１１２０において、ＵＥ１１５は、ワイヤレス通信ネットワーク上で通信動作を実行するための複数のアプリケーションカテゴリーのうちの少なくとも１つに属するアプリケーションを開始するという意図を決定する。いくつかの例では、ブロック１１２０における動作は、図７のアプリケーションアクセス制御モジュール７３０および／または図８のデバイス８００によって実行される。
【００９８】
[0108]ブロック１１３０において、ＵＥ１１５は、適用可能性の少なくとも１つの指示が、現在のＵＥ接続状態についてのアプリケーションのためのアプリケーションカテゴリーに関連付けられたアクセス制御の適用可能性を示すかどうかを決定する。ブロック１１３０において、ＵＥ１１５が、適用可能性の少なくとも１つの指示が、現在のＵＥ接続状態についてのアプリケーションのためのアプリケーションカテゴリーに関連付けられたアクセス制御について非適用可能性を示すと決定した場合、本方法は、ブロック１１６０に進み、アプリケーションの開始を可能にし得る。いくつかの例では、ブロック１１３０および／またはブロック１１６０における動作は、図７のアプリケーションアクセス制御モジュール７３０および／または図８のデバイス８００によって実行される。
【００９９】
[0109]ブロック１１３０において、ＵＥ１１５が、適用可能性の少なくとも１つの指示が、現在のＵＥ接続状態についてのアプリケーションのためのアプリケーションカテゴリーに関連付けられたアクセス制御について適用可能性を示すと決定した場合、本方法は、ブロック１１４０に進み、ランダム禁止数を決定し得る。いくつかの例では、ブロック１１４０における動作は、図７のアプリケーションアクセス制御モジュール７３０および／または図８のデバイス８００によって実行される。
【０１００】
[0110]ブロック１１５０において、ＵＥ１１５は、禁止レートとランダム禁止数とに少なくとも部分的に基づいて、アプリケーションの開始を可能にすべきか禁止すべきかを決定する。ブロック１１５０において、ＵＥ１１５が、ランダム禁止数がアプリケーションカテゴリーについての禁止レートよりも小さいと決定した場合、本方法は、ブロック１１６０に進み、アプリケーションの開始を可能にし得る。いくつかの例では、ブロック１１５０における動作は、図７のアプリケーションアクセス制御モジュール７３０および／または図８のデバイス８００によって実行される。
【０１０１】
[0111]ブロック１１５０において、ＵＥ１１５が、ランダム禁止数がアプリケーションカテゴリーについての禁止レートを超えると決定した場合、本方法は、ブロック１１７０に進み、アプリケーションの開始を禁止し得る。場合によっては、ブロック１１７０における動作は、図７のアプリケーションアクセス制御モジュール７３０および／または図８のデバイス８００によって実行される。
【０１０２】
[0112]ブロック１１８０において、ＵＥ１１５は、アクセス制御の平均持続時間に少なくとも部分的に基づいて、アプリケーションについての禁止時間期間を決定する。いくつかの例では、ブロック１１８０における動作は、図７のアプリケーションアクセス制御モジュール７３０および／または図８のデバイス８００によって実行される。
【０１０３】
[0113]ブロック１１９０において、ＵＥ１１５は、禁止時間期間の経過の後、アプリケーションの開始についての延期された開始動作を実行する。いくつかの例では、ブロック１１９０における動作は、図７のアプリケーションアクセス制御モジュール７３０および／または図８のデバイス８００によって実行される。ブロック１１９０に続いて、本方法は、ブロック１１２０またはブロック１１４０に戻り得る。
【０１０４】
[0114]方法１０００および１１００は、本明細書で説明したツールおよび技法の例示的な実装形態にすぎないことが当業者には明らかであろう。方法１０００および１１００は、他の実装形態が可能であるように、並べ替えられるかまたはさもなければ変更され得る。
【０１０５】
[0115]添付の図面に関して上記に記載した詳細な説明は、例示的な例について説明しており、実装され得るまたは特許請求の範囲内に入る例のみを表すものではない。この説明全体にわたって使用する「例示的」という用語は、「例、事例、または例示の働きをすること」を意味し、「好ましい」または「他の例よりも有利な」を意味しない。詳細な説明は、説明した技法の理解を与えるために、具体的な詳細を含む。ただし、これらの技法は、これらの具体的な詳細なしに実施され得る。いくつかの事例では、説明した例の概念を不明瞭にすることを回避するために、よく知られている構造およびデバイスをブロック図の形式で示す。
【０１０６】
[0116]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０７】
[0117]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１０８】
[0118]本明細書で説明した技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは、無線アクセスネットワーク（ＲＡＮ）と呼ばれることがある。
【０１０９】
[0119]ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムの例としては、モバイル通信用グローバルシステム（ＧＳＭ（登録商標））の様々な実装形態がある。ＯＦＤＭおよび／またはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
【０１１０】
[0120]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１１１】
[0121]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１１２】
[0122]本開示についての以上の説明は、当業者が本開示を作成または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
［Ｃ１］  ワイヤレス通信ネットワークにおいてユーザ機器（ＵＥ）によって実行される方法であって、前記方法が、
複数のアプリケーションカテゴリーについてのアクセス制御と、少なくとも１つのＵＥ接続状態への前記アクセス制御の適用可能性の少なくとも１つの指示とを備えるジョイント制御信号を受信することと、
前記ワイヤレス通信ネットワーク上で通信動作を実行するための前記複数のアプリケーションカテゴリーのうちの少なくとも１つに属するアプリケーションを開始するという意図を決定することと、
前記アクセス制御と、適用可能性の前記少なくとも１つの指示とに少なくとも部分的に基づいて、前記アプリケーションの開始を可能にすべきかどうかを決定することと
を備える方法。
［Ｃ２］  前記アプリケーションの開始を可能にすべきかどうかを決定することは、
適用可能性の前記少なくとも１つの指示が、現在のＵＥ接続状態についての前記アプリケーションのためのアプリケーションカテゴリーに関連付けられたアクセス制御の適用可能性を示すと決定することと、
前記アクセス制御に少なくとも部分的に基づいて、前記アプリケーションの開始を可能にすべきかどうかを決定することと
を備える、Ｃ１に記載の方法。
［Ｃ３］  前記アクセス制御が、禁止レート、アクセス制御の平均持続時間、またはそれらの組合せを備える、Ｃ２に記載の方法。
［Ｃ４］  前記アプリケーションの開始を可能にすべきかどうかを決定することは、
ランダム禁止数を決定することと、
前記ランダム禁止数が前記アプリケーションカテゴリーについての前記禁止レートを超えると決定することに基づいて、前記アプリケーションの開始を可能にしないことを決定することと
を備える、Ｃ３に記載の方法。
［Ｃ５］  アクセス制御の前記平均持続時間に少なくとも部分的に基づいて、前記アプリケーションについての禁止時間期間を決定することと、
前記禁止時間期間の経過の後、前記アプリケーションの開始についての延期された開始動作を実行することと
をさらに備える、Ｃ４に記載の方法。
［Ｃ６］  前記延期された開始動作が、
前記アクセス制御に少なくとも部分的に基づいて、前記禁止時間期間の経過の後、前記アプリケーションの開始を可能にすべきかどうかを決定すること
を備える、Ｃ５に記載の方法。
［Ｃ７］  前記アプリケーションの開始を可能にすべきかどうかを決定することは、
ランダム禁止数を決定することと、
前記ランダム禁止数が前記アプリケーションカテゴリーについての前記禁止レートよりも小さいと決定することに基づいて、前記アプリケーションの開始を可能にすることを決定することと
を備える、Ｃ３に記載の方法。
［Ｃ８］  前記禁止レートが、前記複数のアプリケーションカテゴリーについての禁止レート値を示す制御ビットの１つのセットを備える、Ｃ３に記載の方法。
［Ｃ９］  前記禁止レートは、前記複数のアプリケーションカテゴリーのうちの１つについての禁止レート値を各々が示す、制御ビットの複数のセットを備える、Ｃ３に記載の方法。
［Ｃ１０］  前記アプリケーションの開始を可能にすべきかどうかを決定することは、
適用可能性の前記少なくとも１つの指示が、現在のＵＥ接続状態についての前記アプリケーションのためのアプリケーションカテゴリーに関連付けられたアクセス制御について非適用可能性を示すと決定することに少なくとも部分的に基づいて、前記アプリケーションの開始を可能にすること
を備える、Ｃ１に記載の方法。
［Ｃ１１］  適用可能性の前記少なくとも１つの指示が、前記複数のアプリケーションカテゴリーについての前記少なくとも１つのＵＥ接続状態への前記アクセス制御の適用可能性を示す制御ビットの１つのセットを備える、Ｃ１に記載の方法。
［Ｃ１２］  適用可能性の前記少なくとも１つの指示は、前記複数のアプリケーションカテゴリーのうちの１つについての前記少なくとも１つのＵＥ接続状態への前記アクセス制御の適用可能性を各々が示す、制御ビットの複数のセットを備える、Ｃ１に記載の方法。
［Ｃ１３］  前記少なくとも１つのＵＥ接続状態が、接続状態、アイドル状態、またはそれらの組合せを備える、Ｃ１に記載の方法。
［Ｃ１４］  前記ジョイント制御信号が、データ通信のためのアプリケーション固有の輻輳制御（ＡＣＤＣ）およびモバイル発信通信の防止（ＰＭＯＣ）のために使用される、Ｃ１に記載の方法。
［Ｃ１５］  前記アプリケーションを開始するという前記意図を決定することが、前記アプリケーションを開始するという前記意図を示すユーザ入力を受信することを備える、Ｃ１に記載の方法。
［Ｃ１６］  前記ジョイント制御信号がシステム情報ブロック（ＳＩＢ）内で受信される、Ｃ１に記載の方法。
［Ｃ１７］  ワイヤレス通信のためのデバイスであって、
プロセッサと、
前記プロセッサと電子通信しているメモリとを備え、前記メモリが命令を具備し、前記命令が、
複数のアプリケーションカテゴリーについてのアクセス制御と、少なくとも１つのＵＥ接続状態への前記アクセス制御の適用可能性の少なくとも１つの指示とを備えるジョイント制御信号を受信することと、
ワイヤレス通信ネットワーク上で通信動作を実行するための前記複数のアプリケーションカテゴリーのうちの少なくとも１つに属するアプリケーションを開始するという意図を決定することと、
前記アクセス制御と、適用可能性の前記少なくとも１つの指示とに少なくとも部分的に基づいて、前記アプリケーションの開始を可能にすべきかどうかを決定することと
を行うために前記プロセッサによって実行可能である、
ワイヤレス通信のためのデバイス。
［Ｃ１８］  前記メモリは、
適用可能性の前記少なくとも１つの指示が、現在のＵＥ接続状態についての前記アプリケーションのためのアプリケーションカテゴリーに関連付けられたアクセス制御の適用可能性を示すと決定することと、
前記アクセス制御に少なくとも部分的に基づいて、前記アプリケーションの開始を可能にすべきかどうかを決定することと
を行うために前記プロセッサによって実行可能である命令をさらに具備する、Ｃ１７に記載のデバイス。
［Ｃ１９］  前記アクセス制御が、禁止レート、アクセス制御の平均持続時間、またはそれらの組合せを備える、Ｃ１８に記載のデバイス。
［Ｃ２０］  前記メモリは、
ランダム禁止数を決定することと、
前記ランダム禁止数が前記アプリケーションカテゴリーについての前記禁止レートを超えると決定することに基づいて、前記アプリケーションの開始を可能にしないことを決定することと
を行うために前記プロセッサによって実行可能である命令をさらに具備する、Ｃ１９に記載のデバイス。
［Ｃ２１］  前記メモリが、
アクセス制御の前記平均持続時間に少なくとも部分的に基づいて、前記アプリケーションについての禁止時間期間を決定することと、
前記禁止時間期間の経過の後、前記アプリケーションの開始についての延期された開始動作を実行することと
を行うために前記プロセッサによって実行可能である命令をさらに具備する、Ｃ２０に記載のデバイス。
［Ｃ２２］  前記メモリは、
ランダム禁止数を決定することと、
前記ランダム禁止数が前記アプリケーションカテゴリーについての前記禁止レートよりも小さいと決定することに基づいて、前記アプリケーションの開始を可能にすることを決定することと
を行うために前記プロセッサによって実行可能である命令をさらに具備する、Ｃ１９に記載のデバイス。
［Ｃ２３］  前記メモリは、
適用可能性の前記少なくとも１つの指示が、現在のＵＥ接続状態についての前記アプリケーションのためのアプリケーションカテゴリーに関連付けられたアクセス制御について非適用可能性を示すと決定することに少なくとも部分的に基づいて、前記アプリケーションの開始を可能にすること
を行うために前記プロセッサによって実行可能である命令をさらに具備する、Ｃ１７に記載のデバイス。
［Ｃ２４］  ワイヤレス通信のための装置であって、
複数のアプリケーションカテゴリーについてのアクセス制御と、少なくとも１つのＵＥ接続状態への前記アクセス制御の適用可能性の少なくとも１つの指示とを備えるジョイント制御信号を受信するための手段と、
ワイヤレス通信ネットワーク上で通信動作を実行するための前記複数のアプリケーションカテゴリーのうちの少なくとも１つに属するアプリケーションを開始するという意図を決定するための手段と、
前記アクセス制御と、適用可能性の前記少なくとも１つの指示とに少なくとも部分的に基づいて、前記アプリケーションの開始を可能にすべきかどうかを決定するための手段と
を備える、ワイヤレス通信のための装置。
［Ｃ２５］  前記アプリケーションの開始を可能にすべきかどうかを決定するための前記手段は、適用可能性の前記少なくとも１つの指示が、現在のＵＥ接続状態についての前記アプリケーションのためのアプリケーションカテゴリーに関連付けられたアクセス制御の適用可能性を示すと決定し、
前記アプリケーションの開始を可能にすべきかどうかを決定するための前記手段が、前記アクセス制御に少なくとも部分的に基づいて、前記アプリケーションの開始を可能にすべきかどうかを決定する、
Ｃ２４に記載の装置。
［Ｃ２６］  前記アクセス制御が、前記複数のアプリケーションカテゴリーについての禁止レート、アクセス制御の平均持続時間、またはそれらの組合せを備える、Ｃ２５に記載の装置。
［Ｃ２７］  前記アプリケーションの開始を可能にすべきかどうかを決定するための前記手段は、
ランダム禁止数を決定し、
前記ランダム禁止数が前記アプリケーションカテゴリーについての前記禁止レートを超えると決定することに基づいて、前記アプリケーションの開始を可能にしないことを決定する、
Ｃ２６に記載の装置。
［Ｃ２８］  前記アプリケーションの開始を可能にすべきかどうかを決定するための前記手段は、
ランダム禁止数を決定し、
前記ランダム禁止数が前記アプリケーションカテゴリーについての前記禁止レートよりも小さいと決定することに基づいて、前記アプリケーションの開始を可能にすることを決定する、
Ｃ２６に記載の装置。
［Ｃ２９］  前記アプリケーションの開始を可能にすべきかどうかを決定するための前記手段は、適用可能性の前記少なくとも１つの指示が、現在のＵＥ接続状態についての前記アプリケーションのためのアプリケーションカテゴリーに関連付けられたアクセス制御について非適用可能性を示すと決定することに少なくとも部分的に基づいて、前記アプリケーションの開始を可能にする、Ｃ２４に記載の装置。
［Ｃ３０］  ワイヤレス通信のためのコンピュータプログラム製品であって、
複数のアプリケーションカテゴリーについてのアクセス制御と、少なくとも１つのＵＥ接続状態への前記アクセス制御の適用可能性の少なくとも１つの指示とを備えるジョイント制御信号を受信することと、
ワイヤレス通信ネットワーク上で通信動作を実行するための前記複数のアプリケーションカテゴリーのうちの少なくとも１つに属するアプリケーションを開始するという意図を決定することと、
前記アクセス制御と、適用可能性の前記少なくとも１つの指示とに少なくとも部分的に基づいて、前記アプリケーションの開始を可能にすべきかどうかを決定することと
を行うためのコードを備える、非一時的コンピュータ可読媒体
を備える、ワイヤレス通信のためのコンピュータプログラム製品。
【図１】
0006522651.tif 000002
【図２】
0006522651.tif 000003
【図３】
0006522651.tif 000004
【図４Ａ】
0006522651.tif 000005
【図４Ｂ】
0006522651.tif 000006
【図５Ａ】
0006522651.tif 000007
【図５Ｂ】
0006522651.tif 000008
【図５Ｃ】
0006522651.tif 000009
【図５Ｄ】
0006522651.tif 000010
【図５Ｅ】
0006522651.tif 000011
【図６】
0006522651.tif 000012
【図７】
0006522651.tif 000013
【図８】
0006522651.tif 000014
【図９】
0006522651.tif 000015
【図１０】
0006522651.tif 000016
【図１１】
0006522651.tif 000017